(57)【要約】  小型セルのためのフレキシブル帯域幅キャリアを使用するための方法、システム、およびデバイスが提供される。小型セルのための帯域幅スケーリングファクタが判断され得る。フレキシブル帯域幅キャリアが、帯域幅スケーリングファクタを使用して小型セル用に生成され得る。いくつかの実施形態は、フレキシブル帯域幅ドメインにおけるより多くの利用可能ＰＮオフセットによる、アクティブハンドインの支援を提供する。いくつかの実施形態は、通常帯域幅小型セルのための同じ電力スペクトル密度に対応するものよりも少し大きい電力で、高帯域幅スケーリングファクタビーコン−ライク小型セルを伴う小型セル発見を強化する。いくつかの実施形態は、小型セルによってマクロセルユーザに対して引き起こされる干渉を、マクロセルが小型セルとオーバーラップする度合と、マクロセルモバイルに対する干渉とを制御するための、サポートされるユーザの数およびユーザのトラフィック需要に基づく小型セルのための適応帯域幅スケーリングファクタを使うことによって削減する。いくつかの実施形態は、フレキシブル帯域幅チャネルを使用する、小型セルのための自己構成を使用する。【選択図】図５
2014535248.tif 000002
【特許請求の範囲】
【請求項１】
フレキシブル帯域幅小型セルを実装するための方法であって、
小型セルのための第１の帯域幅スケーリングファクタを判断することと、
前記第１の帯域幅スケーリングファクタを使用して、前記小型セルのためのフレキシブル帯域幅キャリアを生成することと
を備える方法。
【請求項２】
前記小型セルのための第２の帯域幅スケーリングファクタを判断することと、
前記第１の帯域幅スケーリングファクタの使用から前記第２の帯域幅スケーリングファクタの使用に前記小型セルのための前記フレキシブル帯域幅キャリアを適応させることと
をさらに備える、請求項１に記載の方法。
【請求項３】
少なくとも、前記小型セルによってサポートされるべきユーザの数または前記小型セルの１人もしくは複数のユーザに対するトラフィック需要を判断することと、
前記第１の帯域幅スケーリングファクタを判断するために、少なくとも前記判断されたユーザ数または前記判断されたトラフィック需要を使用することと
をさらに備える、請求項１に記載の方法。
【請求項４】
前記第１の帯域幅スケーリングファクタの使用から前記第２の帯域幅スケーリングファクタの使用に前記小型セルのための前記フレキシブル帯域幅キャリアを適応させることは、少なくともトラフィック増加またはサービス品質要件をサポートするために、前記フレキシブル帯域幅キャリアの帯域幅を増大させる、
請求項２に記載の方法。
【請求項５】
前記フレキシブル帯域幅キャリアを使用するとき、前記小型セルの少なくともチャネルナンバーまたは中心周波数を変更することをさらに備える、
請求項１に記載の方法。
【請求項６】
前記フレキシブル帯域幅キャリアを使用する前記小型セルの送信電力を変えることを通じて、前記フレキシブル帯域幅キャリアを使用する前記小型セルについてのビーコン−ライク状態を生成することをさらに備える、請求項１に記載の方法。
【請求項７】
前記フレキシブル帯域幅キャリアを使用する前記小型セルの前記送信電力は、通常帯域幅キャリアを使用する前記小型セルのための送信電力未満である、
請求項６に記載の方法。
【請求項８】
前記フレキシブル帯域幅キャリアを使用する前記小型セルの前記電力スペクトル密度は、通常帯域幅キャリアを使用する前記小型セルについての電力スペクトル密度よりも大きい、
請求項６に記載の方法。
【請求項９】
前記小型セルについての前記ビーコン−ライク状態を生成することは、前記小型セルの前記ユーザ機器検出のための前記小型セルの範囲を拡大する、
請求項６に記載の方法。
【請求項１０】
通常帯域幅キャリアを使用する前記小型セルについてのビーコン−ライク状態を生成することをさらに備える、
請求項１に記載の方法。
【請求項１１】
前記小型セルのための通常帯域幅キャリアを生成することをさらに備える、
請求項６に記載の方法。
【請求項１２】
前記第１の帯域幅スケーリングファクタに基づく通常帯域幅キャリアのためのＰＮオフセット分離と比較して、前記小型セルと別の小型セルとの間の膨張チップ内のＰＮオフセット分離を低下させることをさらに備える、
請求項１に記載の方法。
【請求項１３】
膨張チップ内の前記ＰＮオフセット分離を低下させることは、前記小型セルおよび少なくとも１つの他の小型セルに関連付けられた一意のＰＮオフセットの数を増やす、
請求項１２に記載の方法。
【請求項１４】
前記一意のＰＮオフセットの数を増やすことは、マクロセルから小型セルへのハンドインを容易にする一意の小型セル識別をもたらす、
請求項１３に記載の方法。
【請求項１５】
前記一意のＰＮオフセットの数を増やすことは、小型セルから小型セルへのハンドオーバを容易にする一意の小型セル識別をもたらす、
請求項１３に記載の方法。
【請求項１６】
前記フレキシブル帯域幅キャリアを使用して、前記小型セルが動作するための、マクロセルの帯域幅チャネルの部分を判断することと、
前記小型セルが動作するための、前記帯域幅チャネルの前記部分に関する情報を送信することと
をさらに備える、請求項１に記載の方法。
【請求項１７】
別のフレキシブル帯域幅キャリアを使用して、別の小型セルがその中で動作すると判断したチャネルの部分に関する情報を、前記別の小型セルから受信することと、
前記フレキシブル帯域幅キャリアを使用して、その中で動作するための前記通常チャネルの別の部分を、前記受信した情報に基づいて判断することと
をさらに備える、請求項１に記載の方法。
【請求項１８】
別のフレキシブル帯域幅キャリアを使用して、前記別の小型セルがその中で動作すると判断した前記チャネルの前記部分に関する前記情報を前記別の小型セルから受信することは、前記小型セルのネットワーク使用モードを使用する、
請求項１７に記載の方法。
【請求項１９】
前記第１の帯域幅スケーリングファクタを使用して、前記小型セルのための前記フレキシブル帯域幅キャリアを生成することは、アップリンクのための前記フレキシブル帯域幅キャリアを生成することを備え、前記小型セル向けのダウンリンクのための帯域幅は、前記アップリンクとは異なる、
請求項１に記載の方法。
【請求項２０】
前記第１の帯域幅スケーリングファクタを使用して、前記小型セルのための前記フレキシブル帯域幅キャリアを生成することは、ダウンリンクのための前記フレキシブル帯域幅キャリアを生成することを備え、前記小型セル向けのアップリンクのための帯域幅は、前記ダウンリンクとは異なる、
請求項１に記載の方法。
【請求項２１】
前記アップリンクに関して少なくとも第１のチャネルナンバーまたは第１の中心周波数と、前記ダウンリンクに関して少なくとも第２のチャネルナンバーまたは第２の中心周波数とを変更することをさらに備える、
請求項１９に記載の方法。
【請求項２２】
前記小型セルのための前記フレキシブル帯域幅キャリアを前記第１の帯域幅スケーリングファクタの使用から前記第２の帯域幅スケーリングファクタの使用に適応させるときに前記フレキシブル帯域幅キャリアを使用するとき、前記小型セルの少なくともチャネルナンバーまたは中心周波数を変更することをさらに備える、
請求項２に記載の方法。
【請求項２３】
小型セル識別を容易にするために、少なくとも前記帯域幅スケーリングファクタを使用することをさらに備える、
請求項１に記載の方法。
【請求項２４】
フレキシブル帯域幅小型セルを実装するために構成されたワイヤレス通信システムであって、
小型セルのための第１の帯域幅スケーリングファクタを判断するための手段と、
前記第１の帯域幅スケーリングファクタを使用して、前記小型セルのためのフレキシブル帯域幅キャリアを生成するための手段と
を備えるワイヤレス通信システム。
【請求項２５】
前記小型セルのための第２の帯域幅スケーリングファクタを判断するための手段と、
前記小型セルのための前記フレキシブル帯域幅キャリアを、前記第１の帯域幅スケーリングファクタの使用から前記第２の帯域幅スケーリングファクタの使用に適応させるための手段と
をさらに備える、請求項２４に記載のワイヤレス通信システム。
【請求項２６】
少なくとも、前記小型セルによってサポートされるべきユーザの数または前記小型セルの１人もしくは複数のユーザに対するトラフィック需要を判断するための手段と、
前記第１の帯域幅スケーリングファクタを判断するために、少なくとも前記判断されたユーザ数または前記判断されたトラフィック需要を使用するための手段と
をさらに備える、請求項２４に記載のワイヤレス通信システム。
【請求項２７】
前記フレキシブル帯域幅キャリアを使用するとき、前記小型セルのチャネルナンバーを変更するための手段をさらに備える、
請求項２４に記載のワイヤレス通信システム。
【請求項２８】
前記フレキシブル帯域幅キャリアを使用する前記小型セルの送信電力を変えることを通じて、前記フレキシブル帯域幅キャリアを使用する前記小型セルについてのビーコン−ライク状態を生成するための手段をさらに備える、
請求項２４に記載のワイヤレス通信システム。
【請求項２９】
前記第１の帯域幅スケーリングファクタに基づく通常帯域幅キャリアのためのＰＮオフセット分離と比較して、前記小型セルと別の小型セルとの間の拡張チップ内のＰＮオフセット分離を低下させるための手段をさらに備える、
請求項２４に記載のワイヤレス通信システム。
【請求項３０】
前記フレキシブル帯域幅キャリアを使用して、前記小型セルが動作するための、マクロセルの帯域幅チャネルの部分を判断するための手段と、
前記小型セルが動作するための、前記帯域幅チャネルの前記部分に関する情報を送信するための手段と
をさらに備える、請求項２４に記載のワイヤレス通信システム。
【請求項３１】
別のフレキシブル帯域幅キャリアを使用して別の小型セルがその中で動作すると判断したチャネルの部分に関する情報を、前記別の小型セルから受信するための手段と、
前記フレキシブル帯域幅キャリアを使用してその中で動作するための前記通常チャネルの別の部分を、前記受信した情報に基づいて判断するための手段と
をさらに備える、請求項２４に記載のワイヤレス通信システム。
【請求項３２】
非一時的コンピュータ可読媒体を備える、フレキシブル帯域幅小型セルを実装するためのコンピュータプログラム製品であって、
前記非一時的コンピュータ可読媒体が、
小型セルのための第１の帯域幅スケーリングファクタを判断するためのコードと、
前記第１の帯域幅スケーリングファクタを使用して、前記小型セルのためのフレキシブル帯域幅キャリアを生成するためのコードと
を備えるコンピュータプログラム製品。
【請求項３３】
前記非一時的コンピュータ可読媒体は、
前記小型セルのための第２の帯域幅スケーリングファクタを判断するためのコードと、
前記小型セルのための前記フレキシブル帯域幅キャリアを、前記第１の帯域幅スケーリングファクタの使用から前記第２の帯域幅スケーリングファクタの使用に適応させるためのコードと
をさらに備える、請求項３２に記載のコンピュータプログラム製品。
【請求項３４】
前記非一時的コンピュータ可読媒体は、
少なくとも、前記小型セルによってサポートされるべきユーザの数または前記小型セルの１人もしくは複数のユーザに対するトラフィック需要を判断するためのコードと、
少なくとも前記判断されたユーザ数または前記判断されたトラフィック需要を使用して、前記第１の帯域幅スケーリングファクタを判断するためのコードと
をさらに備える、請求項３２に記載のコンピュータプログラム製品。
【請求項３５】
前記非一時的コンピュータ可読媒体は、
前記フレキシブル帯域幅キャリアを使用するとき、前記小型セルのチャネルナンバーを変更するためのコードをさらに備える、
請求項３２に記載のコンピュータプログラム製品。
【請求項３６】
前記非一時的コンピュータ可読媒体は、
前記フレキシブル帯域幅キャリアを使用する前記小型セルの送信電力を変えることを通じて、前記フレキシブル帯域幅キャリアを使用する前記小型セルについてのビーコン−ライク状態を生成するためのコードをさらに備える、
請求項３２に記載のコンピュータプログラム製品。
【請求項３７】
前記非一時的コンピュータ可読媒体は、
前記第１の帯域幅スケーリングファクタに基づく通常帯域幅キャリアのためのＰＮオフセット分離と比較して、前記小型セルと別の小型セルとの間の膨張チップ内のＰＮオフセット分離を低下させるためのコードをさらに備える、
請求項３２に記載のコンピュータプログラム製品。
【請求項３８】
前記非一時的コンピュータ可読媒体は、
前記フレキシブル帯域幅キャリアを使用して、前記小型セルが動作するためのマクロセルの帯域幅チャネルの部分を判断するためのコードと、
前記小型セルが動作するための、前記帯域幅チャネルの前記部分に関する情報を送信するためのコードと
をさらに備える、請求項３２に記載のコンピュータプログラム製品。
【請求項３９】
前記非一時的コンピュータ可読媒体は、
別のフレキシブル帯域幅キャリアを使用して別の小型セルがその中で動作すると判断したチャネルの部分に関する情報を、前記別の小型セルから受信するためのコードと、
前記フレキシブル帯域幅キャリアを使用してその中で動作するための前記通常チャネルの別の部分を、前記受信した情報に基づいて判断するためのコードと
をさらに備える、請求項３２に記載のコンピュータプログラム製品。
【請求項４０】
フレキシブル帯域幅小型セルを実装するために構成されたワイヤレス通信デバイスであって、
小型セルのための第１の帯域幅スケーリングファクタを判断することと、
前記第１の帯域幅スケーリングファクタを使用して、前記小型セルのためのフレキシブル帯域幅キャリアを生成することと
を行うように構成された少なくとも１つのプロセッサを備える、ワイヤレス通信デバイス。
【請求項４１】
前記少なくとも１つのプロセッサは、
前記小型セルのための第２の帯域幅スケーリングファクタを判断することと、
前記小型セルのための前記フレキシブル帯域幅キャリアを、前記第１の帯域幅スケーリングファクタの使用から前記第２の帯域幅スケーリングファクタの使用に適応させることと
を行うようにさらに構成される、請求項４０に記載のワイヤレス通信デバイス。
【請求項４２】
前記少なくとも１つのプロセッサは、
少なくとも、前記小型セルによってサポートされるべきユーザの数または前記小型セルの１人もしくは複数のユーザに対するトラフィック需要を判断することと、
前記第１の帯域幅スケーリングファクタを判断するために、少なくとも前記判断されたユーザ数または前記判断されたトラフィック需要を使用することと
を行うようにさらに構成される、請求項４０に記載のワイヤレス通信デバイス。
【請求項４３】
前記少なくとも１つのプロセッサは、
前記フレキシブル帯域幅キャリアを使用するとき、前記小型セルのチャネルナンバーを変更するようにさらに構成される、
請求項４０に記載のワイヤレス通信デバイス。
【請求項４４】
前記少なくとも１つのプロセッサは、
前記フレキシブル帯域幅キャリアを使用する前記小型セルの送信電力を変えることを通じて、前記フレキシブル帯域幅キャリアを使用する前記小型セルについてのビーコン−ライク状態を生成することを行うようにさらに構成される、
請求項４０に記載のワイヤレス通信デバイス。
【請求項４５】
前記少なくとも１つのプロセッサは、
前記第１の帯域幅スケーリングファクタに基づく通常帯域幅キャリアのためのＰＮオフセット分離と比較して、前記小型セルと別の小型セルとの間の拡張チップ内のＰＮオフセット分離を低下させることを行うようにさらに構成される、
請求項４０に記載のワイヤレス通信デバイス。
【請求項４６】
前記少なくとも１つのプロセッサは、
前記フレキシブル帯域幅キャリアを使用して、前記小型セルが動作するための、マクロセルの帯域幅チャネルの部分を判断することと、
前記小型セルがその中で動作するための、前記帯域幅チャネルの前記部分に関する情報を送信することと
を行うようにさらに構成される、請求項４０に記載のワイヤレス通信デバイス。
【請求項４７】
前記少なくとも１つのプロセッサは、
別のフレキシブル帯域幅キャリアを使用して別の小型セルがその中で動作すると判断したチャネルの部分に関する情報を、前記別の小型セルから受信することと、
前記フレキシブル帯域幅キャリアを使用してその中で動作するための前記通常チャネルの別の部分を、前記受信した情報に基づいて判断することと
を行うようにさらに構成される、請求項４０に記載のワイヤレス通信デバイス。
【請求項４８】
前記ワイヤレス通信デバイスは、前記小型セルを備える、
請求項４０に記載のワイヤレス通信デバイス。
【発明の詳細な説明】
【関連出願】
【０００１】
本特許出願は、本出願の譲受人に譲渡され、すべての目的のために参照により本明細書に明確に組み込まれる、２０１１年１１月７日に出願された「ＦＲＡＣＴＩＯＮＡＬ  ＳＹＳＴＥＭＳ  ＩＮ  ＷＩＲＥＬＥＳＳ  ＣＯＭＭＵＮＩＣＡＴＩＯＮＳ」と題する仮出願第６１／５５６，７７７号の優先権を主張する。本特許出願は、本出願の譲受人に譲渡され、すべての目的のために参照により本明細書に明確に組み込まれる、２０１１年１２月９日に出願された「ＳＩＧＮＡＬ  ＣＡＰＡＣＩＴＹ  ＢＯＯＳＴＩＮＧ，  ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，  ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」と題する仮出願第６１／５６８，７４２号の優先権も主張する。本特許出願は、本出願の譲受人に譲渡され、すべての目的のために参照により本明細書に明確に組み込まれる、２０１２年５月８日に出願された「ＤＹＮＡＭＩＣ  ＢＡＮＤＷＩＤＴＨ  ＡＤＪＵＳＴＭＥＮＴ  ＩＮ  ＦＬＥＸＩＢＬＥ  ＢＡＮＤＷＩＤＴＨ  ＳＹＳＴＥＭＳ」と題する非仮出願第１３／４６６，３４８号の優先権も主張する。
【背景技術】
【０００２】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
サービスプロバイダは一般に、いくつかの地理的領域において排他的に使用するための周波数スペクトルのブロックを割り振られる。これらの周波数ブロックは概して、使われる多元接続技術とは関係なく、調整器によって割り当てられる。ほとんどの場合、これらのブロックは、チャネル帯域幅の整数倍ではなく、したがって、未使用のスペクトル部があり得る。ワイヤレスデバイスの使用が増すにつれ、このスペクトルの需要および価値も、概して急騰している。それにも関わらず、場合によっては、ワイヤレス通信システムは、割り振られたスペクトルの部分が、標準または通常波形に適合するのに十分には大きくないので、それらの部分を使用することができない。ＬＴＥ規格の開発者は、たとえば、この問題を認識しており、６つの異なるシステム帯域幅、すなわち１．４、３、５、１０、１５および２０ＭＨｚをサポートすることを決定した。この決定により、問題への１つの部分的解決法が提供され得る。小型セルは、割り振られたスペクトルの未活用部分についての、独自の挑戦課題と、機会とを提供し得る。
【発明の概要】
【０００４】
実施形態は、小型セルのためのフレキシブル帯域幅キャリアを使用するための方法と、システムと、デバイスとを含む。いくつかの実施形態では、小型セルのための帯域幅スケーリングファクタが判断され得る。フレキシブル帯域幅キャリアが、帯域幅スケーリングファクタを使用して小型セル用に生成され得る。いくつかの実施形態は、フレキシブル帯域幅ドメインにおけるより多くの利用可能ＰＮオフセットによる、アクティブハンドインの支援を提供する。いくつかの実施形態は、通常帯域幅小型セルのための同じ電力スペクトル密度（ＰＳＤ）に対応するものよりも少し大きい電力を用いる、概してより高帯域幅スケーリングファクタビーコン−ライク小型セル（higher bandwidth scaling factor beacon-like small cells）を伴う小型セル発見を強化する。場合によっては、小型セルは、ビーコンキャリアと、フレキシブル帯域幅キャリアまたは通常帯域幅キャリアであり得る別のキャリアの両方を有する。いくつかの実施形態では、モバイルデバイスは、小型セルのビーコンキャリアに移り、他の小型セルキャリア（たとえば、フレキシブル帯域幅キャリア）を探索する。いくつかの実施形態では、小型セルは、そのビーコンキャリアを、フレキシブルなより広帯域幅キャリアに、または通常帯域幅キャリアにさえ移行させてよい。いくつかの実施形態は、小型セルによってマクロセルユーザに対して引き起こされる干渉を、マクロが小型セルとオーバーラップする度合を制御し、そうすることによってマクロモバイルに対する干渉を制御するための、サポートされるべきユーザの数およびユーザのトラフィック需要に基づく小型セルのための適応帯域幅スケーリングファクタをもつことによって削減する。いくつかの実施形態は、フレキシブル帯域幅チャネルを使用する、小型セルのための自己構成を使用する。
【０００５】
ワイヤレス通信システムのためのフレキシブル帯域幅キャリアは、フレキシブル波形を使用する、通常波形に適合するのに十分大きくない可能性があるスペクトル部分を使用し得る。フレキシブル帯域幅システムは、通常帯域幅システムに対するフレキシブル帯域幅システムの時間またはチップレートの拡張、またはスケールダウンを通じて、通常帯域幅システムに対して生成され得る。いくつかの実施形態は、フレキシブル帯域幅システムの時間またはチップレートの拡大、またはスケールアップを通じて、波形の帯域幅を増大させ得る。フレキシブル帯域幅キャリアが、帯域幅スケーリングファクタを使用して生成され得る。いくつかの実施形態は、拡張チップを使用し、拡張チップにおいて、フレキシブル帯域幅システムにおけるチップ持続時間は、通常帯域幅システムにおけるものと比較して拡張され、場合によっては帯域幅スケーリングファクタが使用され得る。
【０００６】
いくつかの実施形態は、フレキシブル帯域幅小型セルを実装するための方法を含む。この方法は、小型セルのための第１の帯域幅スケーリングファクタを判断すること、および／または第１の帯域幅スケーリングファクタを使用して、小型セルのためのフレキシブル帯域幅キャリアを生成することを含み得る。いくつかの実施形態は、小型セルのための第２域幅スケーリングファクタを判断すること、および／または小型セルのためのフレキシブル帯域幅キャリアを、第１の帯域幅スケーリングファクタの使用から第２の帯域幅スケーリングファクタの使用に適応させることを含む。いくつかの実施形態は、少なくとも小型セルによってサポートされるべきユーザの数または小型セルの１人もしくは複数のユーザに対するトラフィック需要を判断すること、ならびに／あるいは少なくとも判断されたユーザ数または判断されたトラフィック需要を使用して、第１の帯域幅スケーリングファクタを判断することを含む。
【０００７】
小型セルのためのフレキシブル帯域幅キャリアを、第１の帯域幅スケーリングファクタの使用から、第２の帯域幅スケーリングファクタの使用に適応させることにより、フレキシブル帯域幅キャリアの帯域幅を、少なくともトラフィック増加またはサービス品質要件をサポートするように増大することができる。いくつかの実施形態は、フレキシブル帯域幅キャリアを使用するとき、少なくとも小型セルのチャネルナンバーまたは中心周波数を変更することを含む。
【０００８】
いくつかの実施形態は、フレキシブル帯域幅キャリアを使用する小型セルの送信電力を変えることを通じて、フレキシブル帯域幅キャリアを使用する小型セルについてのビーコン−ライク状態を生成することを含む。フレキシブル帯域幅キャリアを使用する小型セルの送信電力は、通常帯域幅キャリアを使用する小型セルのための送信電力未満であってよい。フレキシブル帯域幅キャリアを使用する小型セルの電力スペクトル密度は、通常帯域幅キャリアを使用する小型セルについての電力スペクトル密度よりも大きくてよい。小型セルについてのビーコン−ライク状態を生成することにより、小型セルのユーザ機器検出のための小型セルの範囲を拡大することができる。いくつかの実施形態は、通常帯域幅キャリアを使用して、小型セルについてのビーコン−ライク状態を生成することを含む。いくつかの実施形態は、小型セルのための通常帯域幅キャリアを生成することを含む。
【０００９】
いくつかの実施形態は、帯域幅スケーリングファクタに基づく通常帯域幅キャリアのためのＰＮオフセット分離と比較して、小型セルと別の小型セルとの間の拡張チップ内のＰＮオフセット分離を低下させることを含む。拡張チップ内のＰＮオフセット分離を低下させることにより、小型セルおよび少なくとも１つの他の小型セルに関連付けられた一意のＰＮオフセットの数が増える。一意のＰＮオフセットの数を増やした結果、マクロセルから小型セルへのハンドインを容易にする一意の小型セル識別が生じ得る。一意のＰＮオフセットの数を増やした結果、小型セルから小型セルへのハンドオーバを容易にする一意の小型セル識別が生じ得る。
【００１０】
何らかの実施形態は、フレキシブル帯域幅キャリアを使用する小型セルが動作するためのマクロセルの帯域幅チャネル部分を判断すること、および／または小型セルがその中で動作するための、帯域幅チャネルの部分に関する情報を送信することを含む。いくつかの実施形態は、別の小型セルが別のフレキシブル帯域幅キャリアを使用してその中で動作すると判断した、チャネルの部分に関する情報を、別の小型セルから受信すること、および／または受信された情報に基づいて、フレキシブル帯域幅キャリアを使用してその中で動作するためのチャネルの別の部分を判断することを含む。別の小型セルが別のフレキシブル帯域幅キャリアを使用してその中で動作すると判断したチャネルの部分に関する情報を別の小型セルから受信することは、小型セルのネットワーク使用モードを使用することができる。
【００１１】
第１の帯域幅スケーリングファクタを使用して、小型セルのためのフレキシブル帯域幅キャリアを生成することは、アップリンクのためのフレキシブル帯域幅キャリアを生成することを含んでよく、小型セル向けのダウンリンクのための帯域幅は、アップリンクとは異なる。第１の帯域幅スケーリングファクタを使用して、小型セルのためのフレキシブル帯域幅キャリアを生成することは、ダウンリンクのためのフレキシブル帯域幅キャリアを生成することを含んでよく、小型セル向けのアップリンクのための帯域幅は、ダウンリンクとは異なる。いくつかの実施形態は、アップリンクに関して少なくとも第１のチャネルナンバーまたは第１の中心周波数と、ダウンリンクに関して少なくとも第２のチャネルナンバーまたは第２の中心周波数とを変更することを含む。いくつかの実施形態は、小型セルのためのフレキシブル帯域幅キャリアを第１の帯域幅スケーリングファクタの使用から第２の帯域幅スケーリングファクタの使用に適応させるときにフレキシブル帯域幅キャリアを使用するとき、少なくとも小型セルのチャネルナンバーまたは中心周波数を変更することを含む。いくつかの実施形態は、小型セル識別を容易にするために、少なくとも帯域幅スケーリングファクタを使用することを含む。
【００１２】
いくつかの実施形態は、フレキシブル帯域幅小型セルを実装するために構成されたワイヤレス通信システムを含む。このシステムは、小型セルのための第１の帯域幅スケーリングファクタを判断するための手段、および／または第１の帯域幅スケーリングファクタを使用して、小型セルのためのフレキシブル帯域幅キャリアを生成するための手段を含み得る。いくつかの実施形態は、小型セルのための第２域幅スケーリングファクタを判断するための手段、および／または小型セルのためのフレキシブル帯域幅キャリアを、第１の帯域幅スケーリングファクタの使用から第２の帯域幅スケーリングファクタの使用に適応させるための手段を含む。いくつかの実施形態は、少なくとも小型セルによってサポートされるべきユーザの数または小型セルの１人もしくは複数のユーザに対するトラフィック需要を判断するための手段、ならびに／あるいは少なくとも判断されたユーザ数または判断されたトラフィック需要を使用して、第１の帯域幅スケーリングファクタを判断するための手段を含む。いくつかの実施形態は、フレキシブル帯域幅キャリアを使用するとき、小型セルのチャネルナンバーを変更するための手段を含む。
【００１３】
いくつかの実施形態は、フレキシブル帯域幅キャリアを使用する小型セルの送信電力を変えることを通じて、フレキシブル帯域幅キャリアを使用する小型セルについてのビーコン−ライク状態を生成するための手段を含む。いくつかの実施形態は、帯域幅スケーリングファクタに基づく通常帯域幅キャリアのためのＰＮオフセット分離と比較して、小型セルと別の小型セルとの間の拡張チップ内のＰＮオフセット分離を低下させるための手段を含む。いくつかの実施形態は、小型セルがフレキシブル帯域幅キャリアを使用してその中で動作するためのマクロセルの帯域幅チャネル部分を判断するための手段、および／または小型セルがその中で動作するための、帯域幅チャネルの部分に関する情報を送信するための手段を含む。いくつかの実施形態は、別の小型セルが別のフレキシブル帯域幅キャリアを使用してその中で動作すると判断した、チャネルの部分に関する情報を、別の小型セルから受信するための手段、および／または受信された情報に基づいて、フレキシブル帯域幅キャリアを使用してその中で動作するためのチャネルの別の部分を判断するための手段を含む。
【００１４】
いくつかの実施形態は、小型セルのための第１の帯域幅スケーリングファクタを判断するためのコード、および／または第１の帯域幅スケーリングファクタを使用して、小型セルのためのフレキシブル帯域幅キャリアを生成するためのコードを含み得る非一時的コンピュータ可読媒体を含む、フレキシブル帯域幅小型セルを実装するためのコンピュータプログラム製品を含む。非一時的コンピュータ可読媒体は、小型セルのための第２域幅スケーリングファクタを判断するためのコード、および／または小型セルのためのフレキシブル帯域幅キャリアを、第１の帯域幅スケーリングファクタの使用から第２の帯域幅スケーリングファクタの使用に適応させるためのコードを含み得る。非一時的コンピュータ可読媒体は、少なくとも小型セルによってサポートされるべきユーザの数または小型セルの１人もしくは複数のユーザに対するトラフィック需要を判断するためのコード、ならびに／あるいは少なくとも判断されたユーザ数または判断されたトラフィック需要を使用して、第１の帯域幅スケーリングファクタを判断するためのコードを含み得る。非一時的コンピュータ可読媒体は、フレキシブル帯域幅キャリアを使用するとき、小型セルのチャネルナンバーを変更するためのコードを含み得る。
【００１５】
いくつかの実施形態では、非一時的コンピュータ可読媒体は、フレキシブル帯域幅キャリアを使用する小型セルの送信電力を変えることを通じて、フレキシブル帯域幅キャリアを使用する小型セルについてのビーコン−ライク状態を生成するためのコードを含み得る。非一時的コンピュータ可読媒体は、帯域幅スケーリングファクタに基づく通常帯域幅キャリアのためのＰＮオフセット分離と比較して、小型セルと別の小型セルとの間の拡張チップ内のＰＮオフセット分離を低下させるためのコードを含み得る。非一時的コンピュータ可読媒体は、小型セルがフレキシブル帯域幅キャリアを使用してその中で動作するためのマクロセルの帯域幅チャネル部分を判断するためのコード、および／または小型セルがその中で動作するための、帯域幅チャネルの部分に関する情報を送信するためのコードを含み得る。
【００１６】
いくつかの実施形態では、非一時的コンピュータ可読媒体は、別の小型セルが別のフレキシブル帯域幅キャリアを使用してその中で動作すると判断した、チャネルの部分に関する情報を、別の小型セルから受信するためのコード、および／または、受信された情報に基づいて、フレキシブル帯域幅キャリアを使用してその中で動作するための、チャネルの別の部分を判断するためのコードを含む。
【００１７】
いくつかの実施形態は、フレキシブル帯域幅小型セルを実装するために構成されたワイヤレス通信デバイスを含む。ワイヤレス通信デバイスは、小型セルのための第１の帯域幅スケーリングファクタを判断し、および／または第１の帯域幅スケーリングファクタを使用して、小型セルのためのフレキシブル帯域幅キャリアを生成するように構成された少なくとも１つのプロセッサを含み得る。少なくとも１つのプロセッサは、小型セルのための第２域幅スケーリングファクタを判断し、および／または小型セルのためのフレキシブル帯域幅キャリアを、第１の帯域幅スケーリングファクタの使用から第２の帯域幅スケーリングファクタの使用に適応させるように構成され得る。少なくとも１つのプロセッサは、少なくとも小型セルによってサポートされるべきユーザの数または小型セルの１人もしくは複数のユーザに対するトラフィック需要を判断し、かつ／あるいは少なくとも判断されたユーザ数または判断されたトラフィック需要を使用して、第１の帯域幅スケーリングファクタを判断するように構成され得る。少なくとも１つのプロセッサは、フレキシブル帯域幅キャリアを使用するとき、小型セルのチャネルナンバーを変更するように構成され得る。
【００１８】
いくつかの実施形態では、少なくとも１つのプロセッサは、フレキシブル帯域幅キャリアを使用する小型セルの送信電力を変えることを通じて、フレキシブル帯域幅キャリアを使用する小型セルについてのビーコン−ライク状態を生成するように構成され得る。少なくとも１つのプロセッサは、帯域幅スケーリングファクタに基づく通常帯域幅キャリアのためのＰＮオフセット分離と比較して、小型セルと別の小型セルとの間の拡張チップ内のＰＮオフセット分離を低下させるように構成され得る。少なくとも１つのプロセッサは、小型セルがフレキシブル帯域幅キャリアを使用してその中で動作するためのマクロセルの帯域幅チャネル部分を判断し、および／または小型セルがその中で動作するための、帯域幅チャネルの部分に関する情報を送信するように構成され得る。
【００１９】
少なくとも１つのプロセッサは、別の小型セルが別のフレキシブル帯域幅キャリアを使用してその中で動作すると判断した、チャネルの部分に関する情報を、別の小型セルから受信し、および／または受信された情報に基づいて、フレキシブル帯域幅キャリアを使用してその中で動作するためのチャネルの別の部分を判断するように構成され得る。ワイヤレス通信デバイスは、小型セルを含み得る。
【００２０】
上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実施するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で提供され、特許請求の範囲を定めるものではない。
【図面の簡単な説明】
【００２１】
以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図１】様々な実施形態によるワイヤレス通信システムのブロック図。
【図２Ａ】様々な実施形態による、通常波形に適合するのに十分広くはないスペクトル部分にフレキシブル波形が適合するワイヤレス通信システムの例を示す図。
【図２Ｂ】様々な実施形態による、フレキシブル波形が、帯域エッジに近いスペクトル部分に適合するワイヤレス通信システムの例を示す図。
【図２Ｃ】様々な実施形態による、フレキシブル波形が通常波形と部分的にオーバーラップするワイヤレス通信システムの例を示す図。
【図２Ｄ】様々な実施形態による、フレキシブル波形が通常波形によって完全にオーバーラップされるワイヤレス通信システムの例を示す図。
【図２Ｅ】様々な実施形態による、あるフレキシブル波形が通常波形によって完全にオーバーラップされ、別のフレキシブル波形が通常波形に部分的にオーバーラップするワイヤレス通信システムの例を示す図。
【図２Ｆ】様々な実施形態による、ある通常波形が別の通常波形に部分的にオーバーラップするワイヤレス通信システムの例を示す図。
【図２Ｇ】様々な実施形態による、１つのフレキシブル波形が２つの通常波形に部分的にオーバーラップするワイヤレス通信システムの例を示す図。
【図３】様々な実施形態によるワイヤレス通信システムのネットワーク図。
【図４Ａ】様々な実施形態による小型セルシステムを示す図。
【図４Ｂ】様々な実施形態による小型セルシステムを示す図。
【図４Ｃ】様々な実施形態による小型セルシステムを示す図。
【図５】様々な実施形態による小型セルシステムを示す図。
【図６Ａ】様々な実施形態による小型セルシステムを示す図。
【図６Ｂ】様々な実施形態による小型セルシステムを示す図。
【図７Ａ】様々な実施形態によるデバイスのブロック図。
【図７Ｂ】様々な実施形態によるデバイスのブロック図。
【図８】様々な実施形態によるキャリアシステムを示す図。
【図９Ａ】様々な実施形態による帯域幅キャリアを示す図。
【図９Ｂ】様々な実施形態による帯域幅キャリアを示す図。
【図１０】様々な実施形態によるワイヤレス通信システムを示す図。
【図１１Ａ】様々な実施形態によるシステム通信を示す図。
【図１１Ｂ】様々な実施形態によるシステム通信を示す図。
【図１２Ａ】様々な実施形態によるキャリアシステムを示す図。
【図１２Ｂ】様々な実施形態によるキャリアシステムを示す図。
【図１２Ｃ】様々な実施形態によるキャリアシステムを示す図。
【図１２Ｄ】様々な実施形態によるキャリアシステムを示す図。
【図１３】様々な実施形態によるワイヤレス通信システムのブロック図。
【図１４】様々な実施形態によるモバイルデバイスのブロック図。
【図１５】様々な実施形態による、基地局とモバイルデバイスとを含むワイヤレス通信システムのブロック図。
【図１６Ａ】様々な実施形態による、フレキシブル帯域幅小型セルを実装するための方法の流れ図。
【図１６Ｂ】様々な実施形態による、フレキシブル帯域幅小型セルを実装するための方法の流れ図。
【図１６Ｃ】様々な実施形態による、フレキシブル帯域幅小型セルを実装するための方法の流れ図。
【図１６Ｄ】様々な実施形態による、フレキシブル帯域幅小型セルを実装するための方法の流れ図。
【図１６Ｅ】様々な実施形態による、フレキシブル帯域幅小型セルを実装するための方法の流れ図。
【発明を実施するための形態】
【００２２】
実施形態は、小型セルのためのフレキシブル帯域幅キャリアを使用するための方法と、システムと、デバイスとを含む。フレキシブル帯域幅小型セルは、様々な目的に使用することができる。たとえば、フレキシブル帯域幅小型セルは、モバイルデバイスをマクロセルから小型セルにハンドインするための、より信頼できる機構を提供することができる。フレキシブル帯域幅小型セルは、マクロセルによって現在サービスされているモバイルデバイスが、その付近にある小型セルを確実には検出することができないという小型セル発見問題に対処することができる。フレキシブル帯域幅小型セルは、マクロセルと同じチャネル中で展開される（たとえば、同一チャネル展開）とき、小型セルユーザが大幅な干渉を受け、および／または引き起こし得る干渉問題に対処することができる。いくつかの実施形態では、小型セルのための帯域幅スケーリングファクタが判断され得る。フレキシブル帯域幅キャリアが、帯域幅スケーリングファクタを使用して小型セル用に生成され得る。
【００２３】
いくつかの実施形態は、フレキシブル帯域幅ドメインにおける、より多くの利用可能ＰＮオフセットによる、アクティブハンドインの支援を提供する。小型セルのためのフレキシブル帯域幅に関連付けられたスケーリングを使用すると、結果として、フレキシブル帯域幅小型セルのための拡張チップ中のＰＮオフセットにおけるより低い分離が必要になり得る。たとえば、小型セルと別のフレキシブル帯域幅小型セルとの間の拡張チップにおけるＰＮオフセット分離は、帯域幅スケーリングファクタに基づく通常帯域幅キャリアのためのチップ中のＰＮオフセット分離と比較して低下されてよい。概して、帯域幅スケーリングファクタがＮの小型セルの場合、Ｎ倍多くの利用可能ＰＮオフセットがあり得る。マクロセルが全帯域幅キャリアを使い、小型セルがフレキシブル帯域幅キャリアを使う場合、フレキシブル帯域幅小型セルは、帯域幅スケーリングファクタが１でない（すなわち、全帯域幅でない）とき、ＰＮオフセット空間全体を有し得る。フレキシブル帯域幅小型セルのための使用可能ＰＮオフセット空間の増大により、同じＰＮオフセットが、所与の地理的エリア内の小型セルによって使われる機会がより低くなる可能性があり、ＰＮオフセット混同問題を軽減するのを助けることができる。この結果、マクロセルから小型セルへのハンドインシナリオのための目標小型セルを一意に判断することができる。
【００２４】
いくつかの実施形態は、通常帯域幅小型セルのための同じ電力スペクトル密度（ＰＳＤ）に対応するものよりも少し大きい電力を用いて、高帯域幅スケーリングファクタビーコン−ライク小型セルを伴う小型セル発見を強化する。フレキシブル帯域幅キャリアにおいて、小型セルについてのビーコン−ライク状態を生成することは、フレキシブル帯域幅キャリアにおいて小型セルの送信電力を変えることを伴い得る。概して、この送信電力は、小型セルが通常帯域幅チャネル用に使用するはずの送信電力未満であり得る。フレキシブル帯域幅ビーコン−ライク小型セルのカバレージ範囲は、より高いＰＳＤにより、通常帯域幅小型セルよりも大きくてよく、そうすることによって、小型セルは、より遠い距離からフレキシブル帯域幅システムをサポートするマクロセルＵＥによって検出される場合がある。代替的に、より高い電力スペクトル密度（ＰＳＤ）により、ＵＥは、ビーコンのような特徴をもたない小型セルから同じ距離にある小型セルをより容易に検出することが可能になり得る。
【００２５】
いくつかの実施形態は、サポートされるユーザの数および／またはユーザのトラフィック需要に基づく、小型セル向けの適応Ｎをもつことによって、小型セルによってマクロセルユーザに対して引き起こされる干渉を削減して、マクロが小型セルとオーバーラップし、または小型セルが他の小型セルとオーバーラップする度合を制御し、およびそうすることによってマクロモバイルまたは他の小型セルモバイルへの干渉を制御する。通常帯域幅小型セルは概して、同一チャネル展開の場合、マクロセルと１００％オーバーラップする。たとえば、小型セルにユーザがいないとき、小型セルは、１Ｘ／ＤＯ用にはＮ＝４（または８）に、およびＵＭＴＳ用にはＮ＝８（または１６）に切り替えてもよい。これは、最小限のＱｏＳをもつサービスをサポートできる（それ自体が小型セル信号であるので）ことは例外として、小型セルのビーコンのようであり得る。小型セルは、より低いＮ、すなわちより大きいＢＷまで、より多くのトラフィックをサポートし、または小型セルモバイルデバイスのＱｏＳ要件を満たす必要があり得る場合はＮ＝１まで下げて切り替えることができる。こうすることにより、近くのマクロセルモバイルデバイスから見られるような同一チャネル干渉を削減することができる。より以前に、マクロセルモバイルデバイスは、チャネル全体において干渉を見ている場合があるが、この時点では、マクロセルモバイルデバイスは、チャネルのある部分において干渉を見る可能性がある。
【００２６】
いくつかの実施形態は、フレキシブル帯域幅チャネルを使用する、小型セルのための自己構成を使用する。近接する小型セルは、Ｎ＞１モードで動作中であるとき、同じサブバンド内で動作しないことが望ましい場合がある。たとえば、ある小型セルが、フレキシブル帯域幅キャリアを使用して小型セルがその中で動作するためのマクロセルの通常帯域幅チャネル部分を判断し得る。複数の小型セルが、たとえば、第１の小型セルがその中で動作するための通常帯域幅チャネルの部分に関する情報を送信することを通じて、通常帯域幅チャネルのどの部分を使用するかを調整することができる。その結果、第２の小型セルが、第１の小型セルがフレキシブル帯域幅キャリアを使用してその中で動作すると判断した通常チャネルの部分に関するこの情報を、第１の小型セルから受信することができる。第２の小型セルは、フレキシブル帯域幅キャリアを使用してその中で動作するための通常チャネルの別の部分を、受信した情報に基づいて判断することができる。
【００２７】
ワイヤレス通信システムのためのフレキシブル帯域幅キャリアおよび／または波形は、フレキシブル波形を使用して、通常波形に適合するのに十分大きくなくてよいスペクトル部分を使用し得る。フレキシブル帯域幅システムは、通常帯域幅システムに対するフレキシブル帯域幅システムの時間またはチップレートの拡張、またはスケールダウンを通じて、通常帯域幅システムに対して生成され得る。いくつかの実施形態は、フレキシブル帯域幅システムの時間またはチップレートの拡大、またはスケールアップを通じて、波形の帯域幅を増大させ得る。
【００２８】
フレキシブル帯域幅小型セルは、アップリンクおよびダウンリンク用に異なるフレキシブル帯域幅を使用することができる。一実施形態では、アップリンクまたはダウンリンクの一方は全帯域幅キャリアであってよく、他方は、１よりも大きい帯域幅スケーリングファクタをもつフレキシブル帯域幅キャリアである。トラフィックがダウンリンクにおいてより多い場合、ダウンリンクは全帯域幅であってよく、逆もまた同様である。たとえば、フレキシブル帯域幅小型セルは、小型セルモバイルのサービス品質要件がフレキシブル帯域幅キャリアで満たされ得るとき、エネルギーを節約するために、ダウンリンクおよびアップリンク用にフレキシブル帯域幅を使用することができる。
【００２９】
本明細書で説明する技法は、ＣＤＭＡ、ＴＤＭＡ、ＦＤＭＡ、ＯＦＤＭＡ、ＳＣ−ＦＤＭＡ、ピアツーピア、および他のシステムなど、様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡまたはＯＦＤＭシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織の文書に記載されている。本明細書で説明する技法は、上記のシステムおよび無線技術、ならびに他のシステムおよび無線技術に使用され得る。
【００３０】
したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜に様々な手順または構成要素を省略、置換、または追加し得る。たとえば、説明される方法は、説明される順序とは異なる順序で実施されてよく、様々なステップが追加、省略、または組み合わされてよい。また、いくつかの実施形態に関して説明する特徴は、他の実施形態において組み合わせられ得る。
【００３１】
最初に図１を参照すると、ブロック図は、様々な実施形態によるワイヤレス通信システム１００の一例を示す。システム１００は、マクロセル基地局１０５、モバイルデバイス１１５、基地局コントローラ１２０、小型セル１２５、および／またはコアネットワーク１３０を含み得る（コントローラ１２０はコアネットワーク１３０に組み込まれ得る）。システム１００は、複数のキャリア（異なる周波数の波形信号）での動作をサポートし得る。マルチキャリア送信機は、複数のキャリアで同時に、被変調信号を送信し得る。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００３２】
モバイルデバイス１１５は、移動局、モバイルデバイス、アクセス端末、加入者ユニットまたはユーザ機器のうちの任意のタイプであってよい。モバイルデバイス１１５は、セルラーフォンとワイヤレス通信デバイスとを含み得るが、携帯情報端末（ＰＤＡ）、スマートフォン、他のハンドヘルドデバイス、ネットブック、ノートブックコンピュータなどをも含み得る。したがって、ユーザモバイルデバイスという用語は、任意のタイプのワイヤレスまたはモバイルの通信デバイスを含むために、特許請求の範囲を含めて以下に広く解釈されるべきである。
【００３３】
マクロセル基地局１０５は、１つまたは複数の基地局アンテナを介してモバイルデバイス１１５とワイヤレス通信し得る。モバイルデバイス１１５は、様々な実施形態によると、マクロセル基地局１０５からタイミング情報を受信することができる。マクロセル基地局１０５は、複数のキャリアを介してコントローラ１２０の制御下でモバイルデバイス１１５と通信するように構成され得る。コントローラ１２０は、コアネットワーク１３０と通信することもできる。基地局１０５のサイトの各々は、それぞれの地理的エリアに通信カバレージを与えることができる。いくつかの実施形態では、マクロセル基地局１０５は、ノードＢと呼ばれ得る。ここでは、各マクロセル基地局１０５に対するカバレージエリアは、１１０−ａ、１１０−ｂまたは１１０−ｃとして識別される。基地局のためのカバレージエリアは、セクタ（図示しないが、カバレージエリアの一部だけを構成する）に分割され得る。システム１００は、異なるタイプの基地局１０５（たとえば、マクロ基地局、マイクロ基地局、および／またはピコ基地局）を含み得る。本明細で使用する「セル」という用語は、１）セクタ、または２）サイト（たとえば、基地局１０５）を指し得る。したがって、「マクロセル」という用語は、１）マクロセルセクタ、２）マクロセル基地局（たとえば、マクロセル基地局１０５）、および／または３）マクロセルコントローラを指し得る。したがって、「小型セル」という用語は、１）小型セルセクタ、または２）小型セル基地局（たとえば、小型セルアクセスポイント）を指し得る。「小型セル」という用語は、フェムトセル、マイクロセル、および／またはピコセルも含み得るが、それらに限定されない。
【００３４】
以下の説明のために、モバイルデバイス１１５は、複数のマクロセル基地局１０５によって可能にされるマクロセルまたは同様のネットワーク上で動作する（「とどまる」）。いくつかの実施形態では、モバイルデバイス１１５は、マクロセル基地局１０５にとどまるとき、マクロセル基地局１０５に関連付けられていると呼ばれ得る。各マクロセル基地局１０５は、比較的大きい地理的エリア（たとえば、半径数百メートルから数キロメートル）をカバーし得、サービスに加入している端末による無制限のアクセスを可能にし得る。モバイルデバイス１１５のある部分は、マクロセル１１０−ａのカバレージエリア内で、小型セルカバレージエリア１１０−ｄ（たとえば、場合によっては小型セルアクセスポイント（ＦＡＰ）またはホームノードＢ（ＨＮＢ）と呼ばれ得る小型セル１２５と通信する）内で動作するように登録され（または場合によっては動作することを認められ）てもよい。モバイルデバイス１１５が小型セル１２５に近づくと、モバイルデバイス１１５がマクロセル基地局１０５から小型セル１２５に移行できるような機構が必要になり得る。たとえば、モバイルデバイス１１５は、モバイルデバイス１１５が現在とどまっているマクロセル基地局１０５と、小型セル１２５が同期をとることができるような１つまたは複数のタイミングオフセットを、小型セル１２５に与えることができる。こうすることにより、マクロセル基地局１０５から小型セル１２５へのモバイルデバイス１１５のハンドインを容易にすることができる。小型セル１２５は、複数の小型セル１２５からトラフィックを集約することができるゲートウェイ１４０と通信することができる。ゲートウェイ１４０は次いで、小型セル１２５のトラフィックをコアネットワーク１３０にルーティングすればよい。ゲートウェイ１４０は、場合によっては小型セルゲートウェイ１４０と呼ばれ得る。いくつかの実施形態では、ゲートウェイ１４０はホームロケーションレジスタ（ＨＬＲ）を含み得る。ゲートウェイ１４０は、いくつかの実施形態では、コアネットワーク１３０の一部であると見なすことができる。
【００３５】
モバイルデバイスは、一般に、高度なモバイル動作を可能にするために、小さなバッテリーなどの内部電源を使用して動作するので、モバイルデバイスの電力消費を軽減するために、小型セルの戦略的展開が使用され得る。小型セルはトラフィックをオフロードして、マクロセルにおけるスペクトル使用を低減するために使用され得る。小型セルはまた、（たとえば、容量制限、帯域幅制限、信号フェージング、信号シャドーイングなどのために）場合によっては十分なサービスまたはいかなるサービスをも経験しないことがあるエリア内でサービスを提供するために利用され得、それにより、モバイルデバイスが探索時間を低減し、送信電力を低減し、送信時間を短縮することなどが可能になる。小型セル１２５は、比較的狭いサービスエリア内（たとえば、家屋または建物の中）でサービスを提供し得る。したがって、モバイルデバイス１１５は通常、サービスされているとき、小型セル１２５の近くに展開され、モバイルデバイス１１５が低減された送信出力によって通信することをしばしば可能にし得る。電力節約と、他のユーザへのより少ない干渉の生成も、結果として生じ得る。また、これにより、可能性としては、ユーザは、より高い日付レートまたはサービス品質（ＱｏＳ）を得ることができる。
【００３６】
いくつかの例において、小型セル１２５は、ホームノードＢ（「ＨＮＢ」）またはホームｅノードＢ（ＨｅＮＢ）として実装され得、住居、オフィスビルなどのユーザ構内に配置され得る。小型セル１２５は、以下で一般的に、任意の小型セルアクセスポイントを説明するために使用することができ、制限として解釈されるべきではない。１組のモバイルデバイス１１５は、実質的にユーザ構内全体にわたるカバレージを与える単一の小型セル（たとえば、小型セル１２５）上に（たとえば、ホワイトリスト上に）登録され得る。「ホーム」小型セル１２５は、マクロセル通信ネットワークへの接続を介して、モバイルデバイス１１５に通信サービスへのアクセスを提供することができる。本明細書で使用するマクロセル通信マクロネットワークは、ワイヤレスワイドエリアネットワーク（ＷＷＡＮ）であるものと仮定する。したがって、「マクロセルネットワーク」および「ＷＷＡＮネットワーク」のような用語は交換可能である。同様の技法が、本開示または特許請求の範囲から逸脱することなく、他のタイプのネットワーク環境、小型セルカバレージトポロジーなどに適用され得る。
【００３７】
小型セル１２５、ゲートウェイ１４０、モバイルデバイス１１５、基地局１０５、コアネットワーク１３０、および／またはコントローラ１２０など、システム１００の異なる態様は、様々な実施形態によると、フレキシブル帯域幅および波形を使用するように構成され得る。システム１００は、たとえば、モバイルデバイス１１５と基地局１０５との間の送信１２５を示す。送信１２５は、モバイルデバイス１１５から小型セル１２５および／または基地局１０５へのアップリンクおよび／または逆方向リンク送信、ならびに／あるいは小型セル１２５および／または基地局１０５からモバイルデバイス１１５へのダウンリンクおよび／または順方向リンク送信を含み得る。送信１２５は、フレキシブルおよび／または通常波形を含み得る。通常波形は、レガシーおよび／または通常波形とも呼ばれ得る。
【００３８】
小型セル１２５、モバイルデバイス１１５、基地局１０５、コアネットワーク１３０、ゲートウェイ１４０、および／またはコントローラ１２０など、システム１００の異なる態様は、様々な実施形態によると、フレキシブル帯域幅および波形を使用するように構成され得る。たとえば、システム１００の異なる態様は、通常波形に適合するのに十分に大きくなくてもよいスペクトル部分を使用することができる。小型セル１２５、モバイルデバイス１１５、基地局１０５、コアネットワーク１３０、ゲートウェイ１４０、および／またはコントローラ１２０などのデバイスは、フレキシブル帯域幅および／または波形を生成および／または使用するためのチップレート、拡散ファクタ、および／または帯域幅スケーリングファクタに適応するように構成され得る。システム１００のいくつかの態様は、通常サブシステム時間に対する、フレキシブルサブシステムの時間の拡張、またはスケールダウンを通じて通常サブシステム（他の小型セル１２５、モバイルデバイス１１５、および／または基地局１０５を使って実装され得る）に対して生成することができるフレキシブルなサブシステム（いくつかの小型セル１２５、モバイルデバイス１１５、および／または基地局１０５など）を形成することができる。
【００３９】
いくつかの実施形態では、小型セル１２５、モバイルデバイス１１５、基地局１０５、コアネットワーク１３０、ゲートウェイ１４０、および／またはコントローラ１２０など、システム１００の異なる態様は、小型セルのためのフレキシブル帯域幅を実装するために構成され得る。たとえば、小型セル１２５は、小型セルのためのフレキシブル帯域幅キャリアを生成するように構成され得る。いくつかの実施形態では、小型セル１２５は、第１の帯域幅スケーリングファクタを使用して、フレキシブル帯域幅キャリアを生成することができる。いくつかの実施形態では、小型セル１２５は、小型セルのための第１の帯域幅スケーリングファクタを判断する。
【００４０】
いくつかの実施形態では、小型セル１２５は、小型セルのための第２の帯域幅スケーリングファクタなどの追加帯域幅スケーリングファクタを判断する。小型セル１２５は、小型セルのためのフレキシブル帯域幅キャリアを、第１の帯域幅スケーリングファクタの使用から、第２の帯域幅スケーリングファクタなど、別の帯域幅スケーリングファクタの使用に適応させることができる。いくつかの実施形態では、小型セルのためのフレキシブル帯域幅キャリアを、第１の帯域幅スケーリングファクタの使用から、第２の帯域幅スケーリングファクタの使用に適応させることにより、フレキシブル帯域幅キャリアの帯域幅を、少なくともトラフィック増加またはサービス品質要件をサポートするように増大させる。
【００４１】
いくつかの実施形態では、小型セル１２５は、少なくとも小型セルによってサポートされるべきユーザの数または小型セルの１人もしくは複数のユーザに対するトラフィック需要を判断する。小型セル１２５は、少なくとも判断されたユーザ数または判断されたトラフィック需要を使用して、第１の帯域幅スケーリングファクタを判断することができる。小型セル１２５は、フレキシブル帯域幅キャリアを使用するとき、小型セルのチャネルナンバーを変更することができる。
【００４２】
小型セル１２５は、フレキシブル帯域幅キャリアを使用する小型セルの送信電力を変えることを通じて、フレキシブル帯域幅キャリアを使用する小型セルについてのビーコン−ライク状態を生成することができる。いくつかの実施形態では、フレキシブル帯域幅キャリアを使用する小型セルの送信電力は、通常帯域幅キャリアを使用する小型セルのための送信電力未満である。いくつかの実施形態では、フレキシブル帯域幅キャリアを使用する小型セルの電力スペクトル密度は、通常帯域幅キャリアを使用する小型セルについての電力スペクトル密度よりも大きい。小型セル１２５は、小型セルについてのビーコン−ライク状態を生成して、小型セル検出のための小型セルの範囲を拡大することができる。古典的ビーコンとは異なり、端末は、この状態で基地局と通信することができる可能性がある。
【００４３】
いくつかの実施形態では、小型セル１２５は、帯域幅スケーリングファクタに基づく通常帯域幅キャリアのためのＰＮオフセット分離と比較して、小型セルと別の小型セルとの間の拡張チップ内のＰＮオフセット分離を低下させるように構成される。拡張チップ内のＰＮオフセット分離を低下させることにより、小型セルおよび少なくとも１つの他の小型セルに関連付けられた一意のＰＮオフセットの数を増やすことができる。一意のＰＮオフセットの数を増やした結果、マクロセルから小型セルへのハンドインを容易にする一意の小型セル識別が生じ得る。
【００４４】
小型セル１２５は、小型セルがフレキシブル帯域幅キャリアを使用してその中で動作するためのマクロセルの通常帯域幅チャネル部分を判断するように構成され得る。小型セル１２５は、小型セルがその中で動作するための通常帯域幅チャネルの部分に関する情報を送信するように構成され得る。いくつかの実施形態では、小型セル１２５は、別の小型セルが別のフレキシブル帯域幅キャリアを使用してその中で動作すると判断した通常チャネルの部分に関する情報を、別の小型セルから受信するように構成される。小型セル１２５は、フレキシブル帯域幅キャリアを使用してその中で動作するための通常チャネルの別の部分を、受信した情報に基づいて判断することができる。別の小型セルが別のフレキシブル帯域幅キャリアを使用してその中で動作すると判断した通常チャネルの部分に関する、別の小型セルからの情報は、小型セルのネットワーク使用モードを使用することができる。
【００４５】
フレキシブル帯域幅小型セル１２５は、アップリンクおよびダウンリンク用に異なるフレキシブル帯域幅を使用することができる。たとえば、異なる帯域幅スケーリングファクタが、アップリンクおよびダウンリンク用に使用され得る。一実施形態では、アップリンクまたはダウンリンクの一方は全帯域幅キャリアであってよく、他方は、１よりも大きい帯域幅スケーリングファクタをもつフレキシブル帯域幅キャリアである。トラフィックがダウンリンクにおいてより多い場合、ダウンリンクは全帯域幅であってよく、逆もまた同様である。たとえば、フレキシブル帯域幅小型セルは、小型セルモバイルのサービス品質要件がフレキシブル帯域幅キャリアで満たされ得るとき、エネルギーを節約するために、ダウンリンクおよびアップリンク用にフレキシブル帯域幅を使用することができる。
【００４６】
図２Ａは、様々な実施形態による、小型セル１２５−ａおよびモバイルデバイス１１５−ａをもつワイヤレス通信システム２００−ａの例を示し、フレキシブル波形２１０−ａは、通常波形２２０−ａに適合するのに十分に広くはないスペクトル部分に適合する。システム２００−ａは、図１のシステム１００の例であり得る。いくつかの実施形態では、フレキシブル波形２１０−ａは、小型セル１２５−ａおよび／またはモバイルデバイス１１５−ａのいずれかが送信することができる通常波形２２０−ａとオーバーラップし得る。場合によっては、通常波形２２０−ａは、フレキシブル波形２１０−ａと完全にオーバーラップし得る。いくつかの実施形態は、複数のフレキシブル波形２１０を使用することもできる。いくつかの実施形態では、別の小型セルおよび／またはモバイルデバイス（図示せず）は、通常波形２２０−ａおよび／またはフレキシブル波形２１０−ａを送信することができる。図２Ｂは、小型セル１２５−ｂおよびモバイルデバイス１１５−ｂをもつワイヤレス通信システム２００−ｂの例を示し、フレキシブル波形２１０−ｂは、通常波形２２０−ｂが適合することができない、ガード帯域でよい帯域のエッジに近いスペクトル部分に適合する。システム２００−ｂは、図１のシステム１００の一例であり得る。モバイルデバイス１１５−ａ／１１５−ｂおよび／または小型セル１２５−ａ／１２５−ｂは、様々な実施形態によると、フレキシブル波形２１０−ａ／２１０−ｂの帯域幅を調節するように構成され得る。
【００４７】
図２Ｃは、様々な実施形態による、フレキシブルな波形２１０−ｃが通常波形２２０−ｃと部分的にオーバーラップするワイヤレス通信システム２００−ｃの例を示す。システム２００−ｃは、図１のシステム１００の一例であり得る。図２Ｄは、様々な実施形態による、フレキシブル波形２１０−ｄが通常波形２２０−ｄによって完全にオーバーラップされるワイヤレス通信システム２００−ｄの例を示す。システム２００−ｄは、図１のシステム１００の一例であり得る。図２Ｅは、様々な実施形態による、あるフレキシブル波形２１０−ｆが通常波形２１０−ｅによって完全にオーバーラップされ、別のフレキシブル波形２１０−ｅが通常波形２２０−ｅに部分的にオーバーラップするワイヤレス通信システム２００−ｅの例を示す。システム２００−ｅは、図１のシステム１００の一例であり得る。図２Ｆは、様々な実施形態による、ある通常波形２２０−ｆが別の通常波形２２０−ｇと部分的にオーバーラップするワイヤレス通信システム２００−ｆの例を示す。システム２００−ｆは、図１のシステム１００の一例であり得る。図２Ｇは、様々な実施形態による、２つの通常波形２２０−ｇ／２２０−ｈおよびフレキシブル波形２１０−ｇが両方の波形２２０−ｇおよび２２０−ｈと部分的にオーバーラップするワイヤレス通信システム２００−ｇの例を示す。システム２００−ｆは、図１のシステム１００の一例であり得る。システム２００−ｃ、２００−ｄ、２００−ｅ、２００−ｆ、および／または２００−ｇは、様々な実施形態によると、フレキシブル波形２１０−ｃ、２１０−ｄ、２１０−ｅ、２１０−ｆ、および／または２１０−ｇの帯域幅が動的に調整され得るように構成され得る。
【００４８】
上に示したフレキシブル帯域幅小型セルおよび波形は、複数のキャリアを送信することができるが、必ずしもそうしなくてよい。隣接波形（１つまたは複数）は、別のセル（たとえば、マクロセルまたは小型セル）から発している場合がある。受信される（および送信される）ＰＳＤは異なってよい。
【００４９】
概して、第１の波形またはキャリア帯域幅と第２の波形またはキャリア帯域幅は、少なくとも１％、２％、および／または５％だけオーバーラップするとき、部分的にオーバーラップし得る。いくつかの実施形態では、部分的オーバーラップは、オーバーラップが少なくとも１０％であるときに起こり得る。いくつかの実施形態では、部分的オーバーラップは、９９％、９８％、および／または９５％未満であり得る。いくつかの実施形態では、オーバーラップは、９０％未満であり得る。場合によっては、フレキシブル波形またはキャリア帯域幅は、図２のシステム２００−ｄにおいて見られるように、別の波形またはキャリア帯域幅に完全に含まれ得る。このオーバーラップは、２つの波形またはキャリア帯域幅が完全には一致しないので、依然として部分的オーバーラップを反映している。概して、部分的オーバーラップは、２つ以上の波形またはキャリア帯域幅が完全には一致しない（すなわち、キャリア帯域幅が同じでない）ことを意味し得る。
【００５０】
いくつかの実施形態は、電力スペクトル密度（ＰＳＤ）に基づいて、異なる定義のオーバーラップを使用することができる。たとえば、ＰＳＤに基づくあるオーバーラップ定義が、第１のキャリアについての次のオーバーラップ式で示されている。
【数１】
2014535248.tif 000003
【００５１】
この式において、ＰＳＤ1（ｆ）は、第１の波形またはキャリア帯域幅についてのＰＳＤであり、ＰＳＤ2（ｆ）は、第２の波形またはキャリア帯域幅についてのＰＳＤである。２つの波形またはキャリア帯域幅が一致するとき、オーバーラップ式は１００％に等しくなり得る。第１の波形またはキャリア帯域幅と第２の波形またはキャリア帯域幅が少なくとも部分的にオーバーラップするとき、オーバーラップ式は１００％に等しくなくてよい。たとえば、オーバーラップ式により、いくつかの実施形態では、１％、２％、５％、および／または１０％以上の部分的オーバーラップが生じ得る。オーバーラップ式により、いくつかの実施形態では、９９％、９８％、９５％、および／または９０％未満の部分的オーバーラップが生じ得る。第１の波形またはキャリア帯域幅が通常波形またはキャリア帯域幅であり、第２の波形または搬送波形が、通常帯域幅またはキャリア帯域幅に含まれるフレキシブル波形またはキャリア帯域幅である場合、オーバーラップ式は、百分率として表される、通常帯域幅と比較したフレキシブル帯域幅の比を表し得ることに留意できよう。さらに、オーバーラップ式は、オーバーラップ式がどのキャリア帯域幅の視点に関して公式化されているかに依存し得る。いくつかの実施形態は、他の定義のオーバーラップを使用することができる。場合によっては、次のような平方根演算を使用して、別のオーバーラップが定義され得る。
【数２】
2014535248.tif 000004
【００５２】
他の実施形態は、複数のオーバーラップするキャリアを説明することができる他のオーバーラップ式を使用することができる。
【００５３】
図３に移ると、小型セル１２５−ｃがフレキシブル帯域幅キャリアを使用できるようにするためのワイヤレス通信システム３００のネットワーク図が示されている。通信システム３００は、図１の通信システム１００の例であり得る。
【００５４】
通信システム３００は、マクロネットワーク１０１と、小型セル１２５−ｃと、コアネットワーク１３０−ａと、小型セルゲートウェイ１４０−ａと、１つまたは複数のモバイルデバイス１１５−ｃとを含み得る。コアネットワーク１３０−ａは、場合によっては小型セルゲートウェイ１４０−ａ（場合によってはホームロケーションレジスタ（ＨＬＲ）であってよい）を含み得る。コアネットワーク１３０−ａは、サービングＧＰＲＳサポートノード（ＳＧＳＮ、図示せず）および／または移動交換センター（ＭＳＣ、図示せず）を含み得る。いくつかの実施形態では、小型セルゲートウェイ１４０−ａは、コアネットワーク１３０−ａの外にあると見なすことができる。小型セルゲートウェイ１４０−ａは、いくつかの小型セル１２５−ｃ（ただ１つの小型セル１２５−ｃが明快のために示されている）と通信していてよく、コアネットワーク１３０−ａは、１つまたは複数のマクロＲＮＣ１２０−ａ（明快のためにただ１つのマクロセル基地局１０５−ａが示されている）を介して複数のマクロセル基地局１０５−ａと通信していてよい。セルラー通信が、小型セルゲートウェイ１４０−ａおよび／またはコアネットワーク１３０−ａの機能を使用して小型セル１２５−ｃを通じて可能にされ得るように、小型セル１２５−ｃは、コアネットワーク１３０−ａ要素を介してマクロネットワーク１０１と通信することができる。
【００５５】
小型セル１２５−ｃは、小型セルのためのフレキシブル帯域幅を実装するために構成され得る。たとえば、小型セル１２５−ｃは、小型セルのためのフレキシブル帯域幅キャリアを生成するように構成され得る。いくつかの実施形態では、小型セル１２５−ｃは、第１の帯域幅スケーリングファクタを使用して、フレキシブル帯域幅キャリアを生成することができる。いくつかの実施形態では、小型セル１２５−ｃは、小型セルのための第１の帯域幅スケーリングファクタを判断する。
【００５６】
いくつかの実施形態では、小型セル１２５−ｃは、小型セルのための第２の帯域幅スケーリングファクタなどの追加帯域幅スケーリングファクタを判断する。小型セル１２５−ｃは、小型セルのためのフレキシブル帯域幅キャリアを、第１の帯域幅スケーリングファクタの使用から、第２の帯域幅スケーリングファクタなど、別の帯域幅スケーリングファクタの使用に適応させることができる。いくつかの実施形態では、小型セルのためのフレキシブル帯域幅キャリアを、第１の帯域幅スケーリングファクタの使用から、第２の帯域幅スケーリングファクタの使用に適応させることにより、フレキシブル帯域幅キャリアの帯域幅を、少なくともトラフィック増加またはサービス品質要件をサポートするように増大させる。
【００５７】
いくつかの実施形態では、小型セル１２５−ｃは、少なくとも、小型セルによってサポートされるべきユーザの数または小型セルの１人もしくは複数のユーザに対するトラフィック需要を判断する。小型セル１２５−ｃは、少なくとも判断されたユーザ数または判断されたトラフィック需要を使用して、第１の帯域幅スケーリングファクタを判断することができる。小型セル１２５−ｃは、フレキシブル帯域幅キャリアを使用するとき、小型セルのチャネルナンバーを変更することができる。
【００５８】
小型セル１２５−ｃは、フレキシブル帯域幅キャリアを使用する小型セルの送信電力を変えることを通じて、フレキシブル帯域幅キャリアを使用する小型セルについてのビーコン−ライク状態を生成することができる。いくつかの実施形態では、フレキシブル帯域幅キャリアを使用する小型セルの送信電力は、通常帯域幅キャリアを使用する小型セルのための送信電力未満である。いくつかの実施形態では、フレキシブル帯域幅キャリアを使用する小型セルの電力スペクトル密度は、通常帯域幅キャリアを使用する小型セルについての電力スペクトル密度よりも大きい。小型セル１２５−ｃは、小型セルについてのビーコン−ライク状態を生成して、小型セル検出のための小型セルの範囲を拡大することができる。
【００５９】
いくつかの実施形態では、小型セル１２５−ｃは、帯域幅スケーリングファクタに基づく通常帯域幅キャリアのためのＰＮオフセット分離と比較して、小型セルと別の小型セルとの間の拡張チップ内のＰＮオフセット分離を低下させるように構成される。拡張チップ内のＰＮオフセット分離を低下させることにより、小型セルおよび少なくとも１つの他の小型セルに関連付けられた一意のＰＮオフセットの数を増やすことができる。一意のＰＮオフセットの数を増やした結果、マクロセルから小型セルへのハンドインを容易にする一意の小型セル識別が生じ得る。これは、小型セルから小型セルへのハンドオフも助けることができる。
【００６０】
小型セル１２５−ｃは、フレキシブル帯域幅キャリアを使用して小型セルがその中で動作するためのマクロセルの通常帯域幅チャネル部分を判断するように構成され得る。小型セル１２５−ｃは、小型セルがその中で動作するための通常帯域幅チャネルの部分に関する情報を送信するように構成され得る。いくつかの実施形態では、小型セル１２５−ｃは、別のフレキシブル帯域幅キャリアを使用して別の小型セルがその中で動作すると判断した通常チャネルの部分に関する情報を、別の小型セルから受信するように構成される。小型セル１２５−ｃは、フレキシブル帯域幅キャリアを使用してその中で動作するための通常チャネルの別の部分を、受信した情報に基づいて判断することができる。別の小型セルが別のフレキシブル帯域幅キャリアを使用してその中で動作すると判断した通常チャネルの部分に関する、別の小型セルからの情報は、小型セルのネットワーク使用モードを使用することができる。
【００６１】
いくつかの実施形態は、追加用語を使用することができる。新たな単位Ｄが使用され得る。単位Ｄは拡張される。この単位は無名数（unitless）であり、Ｎの値をもつ。フレキシブルシステムにおける時間については、「拡張時間」によって話すことができる。たとえば、通常時間でのたとえば１０ｍｓのスロットは、フレキシブル時間では１０Ｄｍｓと表すことができる（注：これは、通常時間においてＮ＝１なので、通常時間であっても成り立つ。すなわち、Ｄは１の値をもつので、１０Ｄｍｓ＝１０ｍｓである）。時間スケーリングにおいて、ほとんどの「秒」を「拡張秒」で置き換えることができる。いくつかの実施形態は、「拡張チップ」を使用することができ、拡張チップにおいて、フレキシブル帯域幅システムにおけるチップ持続時間は、通常帯域幅システムにおけるものと比較して、帯域幅スケーリングファクタに等しいファクタだけ拡張される。
【００６２】
上述したように、フレキシブル波形は、通常波形よりも少ないまたは多い帯域幅を占める波形であり得る。したがって、フレキシブル帯域幅システムでは、同じ数のシンボルおよびビットが、通常帯域幅システムと比較して、より長い持続時間にわたって送信され得る。この結果、タイムストレッチが生じてよく、これによってスロット持続時間、フレーム持続時間などが、帯域幅スケーリングファクタＮだけ増大し得る。帯域幅スケーリングファクタＮは、通常帯域幅とフレキシブル帯域幅（ＢＷ）の比を表し得る。したがって、フレキシブル帯域幅システムにおけるデータレートは（通常レート×１／Ｎ）に等しくてよく、遅延は（通常遅延×Ｎ）に等しくてよい。概して、フレキシブルシステムチャネルＢＷ＝通常システムチャネルＢＷ／Ｎである。遅延×ＢＷは不変のままでよい。さらに、いくつかの実施形態では、フレキシブル波形は、通常波形よりも多い帯域幅を占める波形であり得る。
【００６３】
本明細書を通して、通常システム、サブシステム、および／または波形という用語は、１に等しくてよい（たとえば、Ｎ＝１）帯域幅スケーリングファクタまたは通常もしくは標準チップレートを使用し得る実施形態を伴うシステム、サブシステム、および／または波形を指すのに使用することができる。これらの通常システム、サブシステム、および／または波形は、標準および／またはレガシーシステム、サブシステム、および／または波形とも呼ばれ得る。さらに、フレキシブルシステム、サブシステム、および／または波形は、１に等しくなくてよい（たとえば、Ｎ＝２、４、８、１／２、１／４など）帯域幅スケーリングファクタを使用することができる実施形態を伴うシステム、サブシステム、および／または波形を指すのに使用することができる。Ｎ＞１の場合、またはチップレートが低下された場合、波形の帯域幅は減少し得る。いくつかの実施形態は、帯域幅を増大させる帯域幅スケーリングファクタまたはチップレートを使用することができる。たとえば、Ｎ＜１の場合、またはチップレートが増大された場合、波形は、通常波形よりも大きい帯域幅をカバーするように拡大され得る。フレキシブルなシステム、サブシステム、および／または波形は、場合によってはフラクショナルシステム、サブシステム、および／または波形とも呼ばれ得る。フラクショナルシステム、サブシステム、および／または波形は、たとえば、帯域幅を変更してもしなくてもよい。フラクショナルシステム、サブシステム、または波形は、通常または標準システム、サブシステム、または波形（たとえば、Ｎ＝１システム）よりも多くの可能性をもたらし得るので、フレキシブルであり得る。
【００６４】
場合によっては、小型セルが、他のセル（たとえば、マクロセル）と同じ周波数内で展開される。同一チャネルマクロ小型セル展開の場合、干渉が問題になり得る。たとえば、小型セルカバレージに近いが、小型セル上でのアクセスを許可されていないマクロセルモバイルデバイスが、小型セルからの干渉を目にする場合がある。他の干渉問題が、同一チャネル展開において見られ得る。いくつかの実施形態は、少なくともマクロセルモバイルデバイスへの干渉を軽減することを目指すツールと技法とを提供する。
【００６５】
いくつかの実施形態は、フレキシブル帯域幅を使用することができる小型セルに帯域幅スケーリングファクタＮを適応させることを含む。たとえば、小型セルは、作動中であり得るが、小型セルサービスにアクセスしているユーザがいないか、またはトラフィックフローにＮ＝１小型セルを必要としなくてよいごく数人のユーザ（たとえば、１または２人のユーザ）しかいない場合がある。概して、小型セルは、Ｎ＝１システムであり、隣接するマクロセル（１つまたは複数）と完全にオーバーラップする。いくつかの実施形態は、小型セル用に適応Ｎを使用する。適応Ｎ値は、サポートされるべきユーザの数および／またはユーザのトラフィック需要に基づき得る。適応Ｎ値は、マクロセルが小型セルとオーバーラップする度合を制御し、そうすることによってマクロセルモバイルデバイスへの干渉を制御するのに使用することができる。概して、Ｎ＝１である小型セルは、完全に帯域内にあり、利用可能スペクトルチャンク内にはないので、マクロセルと１００％オーバーラップし得る。図４Ａは、システム４００−ａの例を示し、ここで小型セルチャネル４４０−ａはマクロセルチャネル４３０−ａと一致し得る。システム４００−ａは、図１のシステム１００、図２のシステム２００、図３のシステム３００、図１３のシステム１３００、および／または図１５のシステム１５００などのシステムを使用して実装され得る。マクロセルは、Ｎ＝１小型セルと１００％オーバーラップし、Ｎ＝２小型セルと５０％オーバーラップし、Ｎ＝４小型セルと２５％オーバーラップし、以下同様になり得る。いくつかの状況において、小型セルは、マクロセルと部分的にオーバーラップするように展開することができる。たとえば、図４Ｂおよび図４Ｃは、それぞれ、システム４００−ｂおよび４００−ｃの例を示し、ここで小型セルフレキシブル帯域幅チャネル４５０−ａおよび４５０−ｂは、それぞれ、マクロセルチャネル４３０−ｂおよび４３０−ｃとオーバーラップし、オーバーラップは１００パーセント未満である。システム４００−ｂおよび／または４００−ｃは、図１のシステム１００、図２のシステム２００、図３のシステム３００、図１３のシステム１３００、および／または図１５のシステム１５００などのシステムを使用して実装され得る。これらの例において、小型セルフレキシブル帯域幅チャネル４５０−ｂは、小型セルフレキシブル帯域幅チャネル４５０−ａがマクロセルチャネル４３０−ｂとオーバーラップするのよりも少なく、マクロセルチャネル４３０−ｃとオーバーラップする。
【００６６】
単に例として、小型セルにユーザがいないとき、小型セルは、１ｘ／ＤＯ用にはＮ＝４（もしくは８）に、および／またはＵＭＴＳ用にはＮ＝８（もしくは１６）に切り替えてもよい。より一般的には、フレキシブル帯域幅を使用することができる小型セルは、その帯域幅を減少させることができ、図４Ｂおよび図４Ｃのシステム４００−ｂから４００−ｃへの遷移が、このような例を示し得る。場合によっては、帯域幅スケーリングファクタをＮ＝１からＮ＞１に適応させることにより、小型セルのビーコンを生じることができる。小型セルは、最小限のＱｏＳをもつサービスをサポートすることができる（それ自体が小型セル信号であるので）。小型セルは、より低いＮ（すなわち、Ｎ＝１までのより多くのＢＷ、または、より多くのトラフィックをサポートし、もしくは小型セルモバイルのＱｏＳ要件を満たす必要がある場合は、場合によっては１未満）に切り替えることができる。小型セルは、その帯域幅を、干渉の削減を容易にするように変更するとき、チャネルナンバーを変更してもよい。帯域幅スケーリングファクタＮを小型セルに適応させることにより、近くのマクロセルモバイルから見た同一チャネル干渉を削減することができる。たとえば、マクロセルモバイルは、チャネル全体における干渉を見なくなり得るが、マクロセルモバイルは、小型セルがその帯域幅スケーリングファクタＮを適応させた後、チャネルの一部分における干渉を見る場合がある。
【００６７】
いくつかの実施形態は、フレキシブル帯域幅小型セルのためのビーコン−ライク状態を生じることを含む。たとえば、小型セルは、その帯域幅（Ｎ＞１）を削減すると、Ｎ＝１小型セルのものと同じ電力スペクトル密度（ＰＳＤ）を使用することができる。その場合、小型セルは、Ｎ＝１状態よりも小さくてよいＮ＞１状態向けの電力を送信することができる。リンクバジェットは不変のままであってよく、小型セルカバレージは影響を受けなくてよい。ただし、最大到達可能データレートは、Ｎのファクタだけスケールダウンされてよく、遅延はＮのファクタだけスケールアップされてよい。場合によっては、フレキシブル帯域幅小型セルは、Ｎ＞１状態において、Ｎ＝１状態におけるのと同じ送信電力を有し得るが、これにより、より離れたマクロセルモバイルに対して大幅な干渉が生じる場合がある。
【００６８】
ただし、ビーコン−ライク状態において、小型セルは、同じＰＳＤによって規定されるよりも高い送信電力を有し得る（ただし、Ｎ＝１と同じ送信電力ほど高くなくてよい）。このビーコン−ライク状態は、より一層遠い距離から小型セルが検出され得るので、小型セル発見を容易にし得る。高いＮ状態においても、フレキシブル帯域幅小型セルは、マクロセル上にあるとき、同様のデータレートを小型セルモバイルデバイスに提供することができ、または必要とされる場合、フレキシブル帯域幅小型セルは、モバイル（１つまたは複数）のＱｏＳ要件に基づいて、拡大し、より低いＮ状態に移行してよい。こうすることにより、（同じＰＳＤに対するよりも）より多くの干渉を生じ得るが、干渉は、小型セルとオーバーラップする、マクロセル周波数チャネルのより小さい部分にわたり得る。いくつかの場合、たとえばＮ＞１およびＮ＝１よりも高いＰＳＤに対して、干渉は、Ｎ＝１での同じＰＳＤを使うよりも小さくなり得る。
【００６９】
図５は、フレキシブル帯域幅チャネル５６０用に、ＰＳＤが増加したビーコン−ライク小型セルを作成することを含み得るシステム５００の例を示す。システム５００はまた、通常マクロセルチャネル５３０と、増加したＰＳＤを使用中でなくてよい小型セルフレキシブル帯域幅チャネル５５０とを示す。システム５００は、図１のシステム１００、図２のシステム２００、図３のシステム３００、図１３のシステム１３００、および／または図１５のシステム１５００などのシステムを使用して実装され得る。フレキシブル帯域幅キャリアにおいて、小型セルについてのビーコン−ライク状態を生成することは、フレキシブル帯域幅キャリアにおいて小型セルの送信電力を変えることを伴い得る。ビーコン−ライク状態は、ビーコンキャリアを生成することを伴い得る。概して、送信電力は、小型セルが通常帯域幅チャネル用に使用するはずの送信電力未満であり得る。フレキシブル帯域幅ビーコン−ライク小型セルのカバレージ範囲は、より高いＰＳＤにより、通常帯域幅小型セルよりも大きくてよく、そうすることによって、小型セルは、より遠い距離からマクロセルＵＥによって検出される場合がある。場合によっては、小型セルは、ビーコンキャリアと、フレキシブル帯域幅キャリアまたは通常帯域幅キャリアであり得る別のキャリアの両方を有する。いくつかの実施形態では、モバイルデバイスは、小型セルのビーコンキャリアに移り、他の小型セルキャリア（たとえば、フレキシブル帯域幅キャリア）を探索する。いくつかの実施形態では、小型セルは、そのビーコンキャリアを、フレキシブル帯域幅キャリアに、または通常帯域幅キャリアにさえ移行させてよい。
【００７０】
いくつかの実施形態は、フレキシブル帯域幅ドメインにおけるより多くの利用可能ＰＮオフセットによる、アクティブハンドインの支援を提供し得る。小型セルのためのフレキシブル帯域幅に関連付けられたスケーリングを使用すると、結果として、フレキシブル帯域幅小型セルのためのＰＮオフセットにおけるより低い分離が必要になり得る。たとえば、小型セルと別のフレキシブル帯域幅小型セルとの間の膨張チップ中のＰＮオフセット分離は、帯域幅スケーリングファクタに基づく、通常帯域幅キャリアのためのＰＮオフセット分離と比較して低下されてよい。概して、帯域幅スケーリングファクタがＮの小型セルの場合、Ｎ倍多くの利用可能ＰＮオフセットがあり得る。フレキシブル帯域幅小型セルのための使用可能ＰＮオフセット空間の増大により、近接する小型セルによって同じＰＮオフセットが使われる機会がより少なくなり、ＰＮオフセット混同問題を軽減するのを助ける。この結果、マクロから小型セルへのハンドインシナリオのための目標小型セルを一意に判断することができる。
【００７１】
たとえば、ＣＤＭＡシステムにおいて、パイロットは概して、同じＰＮシーケンスを使い、パイロットは、使われるＰＮシーケンスのオフセットが異なり得る。６４チップ分離は、１５，６２５ｍの最小マルチパス分離距離および／または距離（たとえば、光速）を表すことができるので、パイロットＰＮオフセットの間では、６４チップ分離が概して推奨される。ＣＤＭＡシステムにおける利用可能パイロットＰＮオフセットの数は概して、パイロットＰＮシーケンス増分に反比例する（たとえば、６４チップ分離を有する５１２個の利用可能ＰＮオフセットがある）。いくつかの展開は、２５６チップ分離を使い、これにより概して、１２８個の可能ＰＮオフセットが与えられる。マクロセルは概して、一意のＰＮオフセットを有するが、これらのＰＮオフセットのうちごく少数が概して、小型セルに割り振られ、マクロセクタごとに数百の小型セルの間で再利用される。このようにマクロセルとは異なり、小型セルは概して、そのＰＮオフセットによって一意には識別されない。このことは、アクティブハンドイン課題につながり得る。
【００７２】
フレキシブル帯域幅システムは、この問題に対処するのに使用することができる。たとえば、フレキシブル帯域幅小型セルは、Ｎ＝１システムと比較して、膨張チップまたは増分において、より低いＰＮオフセット分離を行う余裕があり得る。その結果、帯域幅スケーリングファクタＮを使用するフレキシブル帯域幅小型セルに対して、Ｎ倍多い利用可能ＰＮオフセットがあり得る。単に例として、１．２２８８ＭｃｐＤｓ（膨張秒当たりメガチップ）のチップレートを使うフレキシブル帯域幅小型セルについて検討すると、３２，７６８個のチップが、２６．６７Ｄｍｓおきに循環し得る。６４チップ分離は、１５，６２５ｍの最小マルチパス分離距離を表し得るが、フレキシブル帯域幅システムでは、１５，６２５＊Ｎｍの多重経路分離距離を表し得る。このように、フレキシブル帯域幅小型セルは、Ｎ＝１システムと比較して、膨張チップまたは増分において、より低いＰＮオフセット分離を行う余裕があり得る。
【００７３】
フレキシブル帯域幅マクロセルおよびフレキシブル帯域幅小型セルを有する展開において、これらのツールおよび技法は、所与の地理的エリア内のフレキシブル帯域幅小型セルのための一意のＰＮオフセットを与えるのに使用することができる（これらのＰＮオフセットは、そのエリアを超えて再利用することもできる）。通常帯域幅マクロセルおよびフレキシブル帯域幅小型セルを有する展開において、いくつかの追加ＰＮオフセットは、フレキシブル帯域幅小型セルによって依然として使われ得る。これらの追加ＰＮオフセットは、アクティブハンドイン問題を助け得る。
【００７４】
いくつかの実施形態は、フレキシブル帯域幅チャネルを使用する小型セルのための自己構成を使用してもよい。近接する小型セルは、Ｎ＞１モードで動作中であるとき、同じサブバンド内で動作しないことが望ましい場合がある。たとえば、ある小型セルは、フレキシブル帯域幅キャリアを使用する小型セルがその中で動作するべき、マクロセルの通常帯域幅チャネルの部分を判断することができ、図６Ａは、システム６００−ａの例を示し、ここで少なくとも１つの小型セルが、マクロセルの通常帯域幅チャネル６３０−ａに関して、左のサブバンド、またはフレキシブル帯域幅チャネル６５０−ａ／６５０−ｂを使用することができる。システム６００−ａは、図１のシステム１００、図２のシステム２００、図３のシステム３００、図１３のシステム１３００、および／または図１５のシステム１５００などのシステムを使用して実装され得る。複数の小型セルが、たとえば、第１の小型セルがその中で動作するための通常帯域幅チャネルの部分に関する情報を送信することを通じて、通常帯域幅チャネル６３０−ａのどの部分を使用するかを調整することができる。その結果、第２の小型セルが、フレキシブル帯域幅キャリアを使用して第１の小型セルがその中で動作すると判断した通常チャネル６３０−ａの部分に関するこの情報を、第１の小型セルから受信することができる。図６Ｂは、システム６００−ｂの例を示し、ここで小型セルフレキシブル帯域幅チャネル６５０−ｃは、マクロセルチャネル６３０−ｂに関して、小型セルフレキシブル帯域幅チャネル６５０−ｂに合わせることができる。第２の小型セルは、フレキシブル帯域幅キャリアを使用してその中で動作するべき、フレキシブル帯域幅チャネル６５０−ｄなどの通常チャネルの別の部分を、受信された情報に基づいて判断することができる。第２の小型セルは、第２の小型セルが、フレキシブル帯域幅キャリアを使用してその中で動作すると判断した、通常チャネルの部分に関する情報を送信することもできる。複数の小型セルは、小型セルがフレキシブル帯域幅キャリアを使用して動作する通常チャネルの部分に関して、互いに合わせることができる。
【００７５】
いくつかの実施形態では、近接する小型セルの間の調整は、ネットワークリッスンモジュール（ＮＬＭ）を使用し得る。たとえば、ある小型セルは、Ｎ＞１モード動作中のチャネルの左部分において動作することを選び、この情報をブロードキャストすることができ、このことが、小型セルフレキシブル帯域幅チャネル６５０−ｃで図６Ｂに示されている。別の小型セルは、このブロードキャストを（そのＮＬＭにより）リッスンし、小型セルフレキシブル帯域幅チャネル６５０−ｄで示されるように、そのＮ＞１モード動作中にチャネルの右部分において動作すると決定することができる。場合によっては、これらの小型セルからマクロセルモバイルデバイスへの干渉は白色化され得る。この手法は一般化することができる。たとえば、Ｎ＝４システムには、より多くの組合せがあり得る。いくつかの実施形態は、２  Ｎ＝４および１  Ｎ＝２システムなどがある混合システムを有し得る。］
次に図７Ａに移ると、ブロック図は、様々な実施形態による、小型セルフレキシブル帯域幅機能性を含むデバイス７００−ａを示す。デバイス７００−ａは、図１、図２、図３、図１３、および／または図１５の小型セル１２５の態様の例であり得る。デバイス７００は、図１、図２、図３、図１３、図１４、および／または図１５のモバイルデバイス１１５の態様の例であり得る。デバイス７００−ａは、プロセッサである可能性もある。デバイス７００は、受信機７０５、小型セルフレキシブル帯域幅モジュール７１０、および／または送信機７２０を含み得る。これらの構成要素の各々は互いに通信していることがある。
【００７６】
デバイス７００−ａのこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７７】
受信機７０５は、デバイス７００−ａが何を受信または送信したかに関する、パケット、データ、および／またはシグナリング情報などの情報を受信することができる。受信された情報は、小型セルフレキシブル帯域幅モジュール７１０によって、様々な目的に使用することができる。
【００７８】
小型セルフレキシブル帯域幅モジュール７１０は、小型セルのためのフレキシブル帯域幅を実装するために構成され得る。たとえば、小型セルフレキシブル帯域幅モジュール７１０は、小型セルのためのフレキシブル帯域幅キャリアを生成するように構成され得る。いくつかの実施形態では、小型セルフレキシブル帯域幅モジュール７１０は、第１の帯域幅スケーリングファクタを使用して、フレキシブル帯域幅キャリアを生成することができる。いくつかの実施形態では、小型セルフレキシブル帯域幅モジュール７１０は、小型セルのための第１の帯域幅スケーリングファクタを判断する。
【００７９】
いくつかの実施形態では、小型セルフレキシブル帯域幅モジュール７１０は、小型セルのための第２の帯域幅スケーリングファクタなどの追加帯域幅スケーリングファクタを判断する。小型セルフレキシブル帯域幅モジュール７１０は、小型セルのためのフレキシブル帯域幅キャリアを、第１の帯域幅スケーリングファクタの使用から、第２の帯域幅スケーリングファクタなど、別の帯域幅スケーリングファクタの使用に適応させることができる。いくつかの実施形態では、小型セルのためのフレキシブル帯域幅キャリアを、第１の帯域幅スケーリングファクタの使用から、第２の帯域幅スケーリングファクタの使用に適応させることにより、フレキシブル帯域幅キャリアの帯域幅を、少なくともトラフィック増加またはサービス品質要件をサポートするように増大させる。
【００８０】
いくつかの実施形態では、小型セルフレキシブル帯域幅モジュール７１０は、少なくとも、小型セルによってサポートされるべきユーザの数または小型セルの１人もしくは複数のユーザに対するトラフィック需要を判断する。小型セルフレキシブル帯域幅モジュール７１０は、少なくとも判断されたユーザ数または判断されたトラフィック需要を使用して、第１の帯域幅スケーリングファクタを判断することができる。小型セルフレキシブル帯域幅モジュール７１０は、フレキシブル帯域幅キャリアを使用するとき、小型セルのチャネルナンバーを変更することができる。
【００８１】
小型セルフレキシブル帯域幅モジュール７１０は、フレキシブル帯域幅キャリアを使用する小型セルの送信電力を変えることを通じて、フレキシブル帯域幅キャリアを使用する小型セルについてのビーコン−ライク状態を生成することができる。いくつかの実施形態では、フレキシブル帯域幅キャリアを使用する小型セルの送信電力は、通常帯域幅キャリアを使用する小型セルのための送信電力未満である。いくつかの実施形態では、フレキシブル帯域幅キャリアを使用する小型セルの電力スペクトル密度は、通常帯域幅キャリアを使用する小型セルについての電力スペクトル密度よりも大きい。小型セルフレキシブル帯域幅モジュール７１０は、小型セルについてのビーコン−ライク状態を生成して、小型セル検出のための小型セルの範囲を拡大することができる。
【００８２】
いくつかの実施形態では、小型セルフレキシブル帯域幅モジュール７１０は、帯域幅スケーリングファクタに基づく通常帯域幅キャリアのためのＰＮオフセット分離と比較して、小型セルと別の小型セルとの間の膨張チップ内のＰＮオフセット分離を低下させるように構成される。膨張チップ内のＰＮオフセット分離を低下させることにより、小型セルおよび少なくとも１つの他の小型セルに関連付けられた一意のＰＮオフセットの数を増やすことができる。一意のＰＮオフセットの数を増やした結果、マクロセルから小型セルへのハンドインを容易にする一意の小型セル識別が生じ得る。
【００８３】
小型セルフレキシブル帯域幅モジュール７１０は、フレキシブル帯域幅キャリアを使用して小型セルがその中で動作するためのマクロセルの通常帯域幅チャネル部分を判断するように構成され得る。小型セルフレキシブル帯域幅モジュール７１０および／または送信機７２０は、小型セルがその中で動作するための通常帯域幅チャネルの部分に関する情報を送信するように構成され得る。いくつかの実施形態では、小型セルフレキシブル帯域幅モジュール７１０および／または受信機７０５は、別のフレキシブル帯域幅キャリアを使用して別の小型セルがその中で動作すると判断した通常チャネルの部分に関する情報を、別の小型セルから受信するように構成される。小型セルフレキシブル帯域幅モジュール７１０は、フレキシブル帯域幅キャリアを使用してその中で動作するための通常チャネルの別の部分を、受信した情報に基づいて判断することができる。別のフレキシブル帯域幅キャリアを使用して別の小型セルがその中で動作すると判断した通常チャネルの部分に関する、別の小型セルからの情報は、小型セルのネットワーク使用モードを使用することができる。
【００８４】
いくつかの実施形態では、小型セルフレキシブル帯域幅モジュール７１０は、第１のフレキシブル帯域幅キャリアの第１の帯域幅スケーリングファクタを識別するように構成され得る。小型セルフレキシブル帯域幅モジュール７１０は、第２の帯域幅スケーリングファクタを判断するように構成され得る。小型セルフレキシブル帯域幅モジュール７１０は、第１のフレキシブル帯域幅キャリアの帯域幅を、第１の帯域幅スケーリングファクタの使用から、第２の帯域幅スケーリングファクタの使用に適応させるように構成され得る。
【００８５】
いくつかの実施形態では、小型セルフレキシブル帯域幅モジュール７１０は、第１のフレキシブル帯域幅の帯域幅を、第１の帯域幅スケーリングファクタの使用から、第２の帯域幅スケーリングファクタの使用に適応させるように構成されてよく、この適応は、第１のフレキシブル帯域幅キャリアの帯域幅を増大させることを含み得る。第１のフレキシブル帯域幅の帯域幅を、第１の帯域幅スケーリングファクタの使用から、第２の帯域幅スケーリングファクタの使用に適応させることは、第１のフレキシブル帯域幅キャリアの帯域幅を減少させることを含み得る。いくつかの実施形態では、小型セルフレキシブル帯域幅モジュール７１０は、アップリンクおよびダウンリンク用に異なるフレキシブル帯域幅を使用することができる。一実施形態では、アップリンクまたはダウンリンクの一方は全帯域幅キャリアであってよく、他方は、１よりも大きい帯域幅スケーリングファクタをもつフレキシブル帯域幅キャリアである。トラフィックがダウンリンクにおいてより多い場合、ダウンリンクは全帯域幅であってよく、逆もまた同様である。たとえば、フレキシブル帯域幅小型セルは、小型セルモバイルのサービス品質要件がフレキシブル帯域幅キャリアで満たされ得るとき、エネルギーを節約するために、ダウンリンクおよびアップリンク用にフレキシブル帯域幅を使用することができる。
【００８６】
いくつかの実施形態では、デバイス７００は、そのモジュールのうち１つまたは複数を使用して、第１のフレキシブル帯域幅キャリアにとどまっているモバイルデバイスを別の帯域幅キャリアにハンドオーバしてから、第１のフレキシブル帯域幅キャリアの帯域幅を減少させるように構成され得る。モバイルデバイスは、第１のフレキシブル帯域幅キャリアの帯域幅を減少させた後、第１のフレキシブル帯域幅キャリアに返され得る。同様のアクションが、第１のフレキシブル帯域幅キャリアの帯域幅が増大された場合に実施され得る。
【００８７】
小型セルフレキシブル帯域幅モジュール７１０は、第１のダウンリンクフレキシブル帯域幅キャリアの帯域幅を、第１の帯域幅スケーリングファクタの使用から、第２の帯域幅スケーリングファクタとは異なる第３の帯域幅スケーリングファクタの使用に適応させるように構成され得る。第１のフレキシブル帯域幅キャリアは第１のアップリンクフレキシブル帯域幅キャリアを含むことができ、第２の帯域幅スケーリングファクタおよび第３の帯域幅スケーリングファクタは、少なくとも第１のアップリンクフレキシブル帯域幅キャリアまたは第１のダウンリンクフレキシブル帯域幅キャリアについての１つまたは複数のトラフィックパターンに基づいて判断される。いくつかの実施形態は、第２のダウンリンクフレキシブル帯域幅キャリアの帯域幅を、第１の帯域幅スケーリングファクタの使用から、第４の帯域幅スケーリングファクタの使用に適応させること、および／または第２のアップリンクフレキシブル帯域幅キャリアの帯域幅を、第１の帯域幅スケーリングファクタの使用から、第５の帯域幅スケーリングファクタの使用に適応させることを含む。いくつかの実施形態は、少なくとも、第１のアップリンクフレキシブル帯域幅キャリアを第２のダウンリンクフレキシブル帯域幅キャリアと、または第２のアップリンクフレキシブル帯域幅キャリアを第１のダウンリンクフレキシブル帯域幅キャリアと結合することを含む。いくつかの実施形態は、少なくとも１人のユーザの少なくとも要求事項または必要事項に基づいて、少なくとも第１のアップリンクフレキシブル帯域幅キャリア、第２のアップリンクフレキシブル帯域幅キャリア、第１のダウンリンクフレキシブル帯域幅キャリア、または第２のダウンリンクフレキシブル帯域幅キャリアに、少なくとも１人のユーザを割り当てることを含む。いくつかの実施形態は、少なくとも第１のアップリンクフレキシブル帯域幅キャリアのための第１の中心周波数または第１のダウンリンクフレキシブル帯域幅キャリアのための第２の中心周波数を変更することを含む。
【００８８】
送信機モジュール７２０は、第２の帯域幅スケーリングファクタをモバイルデバイスに送信するように、および／または少なくとも、第１のフレキシブル帯域幅キャリアの帯域幅が、第１の帯域幅スケーリングファクタの使用から第２の帯域幅スケーリングファクタの使用にいつ適応されるかに関する時間もしくはタイミング期間を、モバイルデバイスに送信するように構成され得る。モバイルデバイスへのデータの送信は、タイミング期間中は控えられ、避けられ、および／またはスケジュールされなくてよい。
【００８９】
いくつかの実施形態では、第１のフレキシブル帯域幅キャリアの帯域幅を増大させると、第１のフレキシブル帯域幅キャリアの容量が増える。いくつかの実施形態では、第１のフレキシブル帯域幅キャリアの帯域幅を減少させることは、少なくとも、１つもしくは複数のセルとの干渉を削減すること、帯域内干渉を削減すること、またはエネルギーを節約することを備える。
【００９０】
次に図７Ｂに移ると、ブロック図は、様々な実施形態による、小型セルフレキシブル帯域幅機能性を含むデバイス７００−Ｂを示す。デバイス７００−ｂは、図１、図２、図３、図１３、および／または図１５の小型セル１２５の態様の例であり得る。デバイス７００は、図１、図２、図３、図１３、図１４、および／または図１５のモバイルデバイス１１５の態様の例であり得る。デバイス７００−ａは、プロセッサである可能性もある。デバイス７００は、プロセッサである可能性もある。デバイス７００−ｂは、受信機７０５−ａ、小型セルスケーリングモジュール７１２、小型セルＰＮオフセットモジュール７１４、小型セルビーコンモジュール７１６、小型セル自己構成モジュール７１８、および／または送信機７２０−ａを含み得る。これらの構成要素の各々は互いに通信していることがある。小型セルスケーリングモジュール７１２、小型セルＰＮオフセットモジュール７１４、小型セルビーコンモジュール７１６、および／または小型セル自己構成モジュール７１８は、小型セルフレキシブル帯域幅モジュール７１０−ａの一部であってよく、モジュール７１０−ａは、図７Ａのデバイス７００−ａについて記載した小型セルフレキシブル帯域幅モジュール７１０の例であり得る。デバイス７００−ｂは、図７Ａのデバイス７００−ａの一例であり得る。
【００９１】
デバイス７００−ｂのこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９２】
受信機７０５は、デバイス７００−ｂが何を受信または送信したかに関する、パケット、データ、および／またはシグナリング情報などの情報を受信することができる。受信された情報は、小型セルスケーリングモジュール７１２、小型セルＰＮオフセットモジュール７１４、小型セルビーコンモジュール７１６、小型セル自己構成モジュール７１８、および／または小型セルフレキシブル帯域幅モジュール７１０−ａによって、様々な目的に使用することができる。
【００９３】
小型セルフレキシブル帯域幅モジュール７１０−ａは、小型セルのためのフレキシブル帯域幅を実装するために構成され得る。たとえば、小型セルスケーリングモジュール７１２は、小型セルのためのフレキシブル帯域幅キャリアを生成するように構成され得る。いくつかの実施形態では、小型セルスケーリングモジュール７１２は、第１の帯域幅スケーリングファクタを使用して、フレキシブル帯域幅キャリアを生成することができる。いくつかの実施形態では、小型セルスケーリングモジュール７１２は、小型セルのための第１の帯域幅スケーリングファクタを判断する。
【００９４】
いくつかの実施形態では、小型セルスケーリングモジュール７１２は、小型セルのための第２の帯域幅スケーリングファクタなどの追加帯域幅スケーリングファクタを判断する。小型セルスケーリングモジュール７１２は、小型セルのためのフレキシブル帯域幅キャリアを、第１の帯域幅スケーリングファクタの使用から、第２の帯域幅スケーリングファクタなど、別の帯域幅スケーリングファクタの使用に適応させることができる。いくつかの実施形態では、小型セルのためのフレキシブル帯域幅キャリアを、第１の帯域幅スケーリングファクタの使用から、第２の帯域幅スケーリングファクタの使用に適応させることにより、フレキシブル帯域幅キャリアの帯域幅を、少なくともトラフィック増加またはサービス品質要件をサポートするように増大させる。
【００９５】
いくつかの実施形態では、小型セルフレキシブル帯域幅モジュール７１０は、少なくとも、小型セルによってサポートされるべきユーザの数または小型セルの１人もしくは複数のユーザに対するトラフィック需要を判断する。小型セルフレキシブル帯域幅モジュール７１０は、少なくとも判断されたユーザ数または判断されたトラフィック需要を使用して、第１の帯域幅スケーリングファクタを判断することができる。小型セルフレキシブル帯域幅モジュール７１０は、フレキシブル帯域幅キャリアを使用するとき、小型セルのチャネルナンバーを変更することができる。
【００９６】
小型セルビーコンモジュール７１６は、フレキシブル帯域幅キャリアを使用する小型セルの送信電力を変えることを通じて、フレキシブル帯域幅キャリアを使用する小型セルについてのビーコン−ライク状態を生成することができる。いくつかの実施形態では、フレキシブル帯域幅キャリアを使用する小型セルの送信電力は、通常帯域幅キャリアを使用する小型セルのための送信電力未満である。この結果、省エネルギーとなり得る。いくつかの実施形態では、フレキシブル帯域幅キャリアを使用する小型セルの電力スペクトル密度は、通常帯域幅キャリアを使用する小型セルについての電力スペクトル密度よりも大きい。小型セルビーコンモジュール７１６は、小型セルについてのビーコン−ライク状態を生成して、小型セル検出のための小型セルの範囲を拡大することができる。
【００９７】
いくつかの実施形態では、小型セルＰＮオフセットモジュール７１４は、帯域幅スケーリングファクタに基づく通常帯域幅キャリアのためのＰＮオフセット分離と比較して、小型セルと別の小型セルとの間の膨張チップ内のＰＮオフセット分離を低下させるように構成される。膨張チップ内のＰＮオフセット分離を低下させることにより、小型セルおよび少なくとも１つの他の小型セルに関連付けられた一意のＰＮオフセットの数を増やすことができる。一意のＰＮオフセットの数を増やした結果、マクロセルから小型セルへのハンドインを容易にする一意の小型セル識別が生じ得る。
【００９８】
小型セルＰＮオフセットモジュール７１４は、フレキシブル帯域幅キャリアを使用して小型セルがその中で動作するためのマクロセルの通常帯域幅チャネル部分を判断するように構成され得る。小型セルＰＮオフセットモジュール７１４および／または送信機７２０は、小型セルがその中で動作するための通常帯域幅チャネルの部分に関する情報を送信するように構成され得る。いくつかの実施形態では、小型セルＰＮオフセットモジュール７１４および／または受信機７０５は、別のフレキシブル帯域幅キャリアを使用して別の小型セルがその中で動作すると判断した通常チャネルの部分に関する情報を、別の小型セルから受信するように構成される。小型セルＰＮオフセットモジュール７１４は、フレキシブル帯域幅キャリアを使用してその中で動作するための通常チャネルの別の部分を、受信した情報に基づいて判断することができる。別の小型セルが別のフレキシブル帯域幅キャリアを使用してその中で動作すると判断した通常チャネルの部分に関する、別の小型セルからの情報は、小型セルのネットワーク使用モードを使用することができる。
【００９９】
いくつかの実施形態は、小型セル展開のための可変帯域幅スケーリングファクタを与える。可変帯域幅スケーリングファクタは、１つまたは複数の帯域幅スケーリングファクタをフレキシブル帯域幅システム用に動的に調整することを含み得る。可変帯域幅スケーリングファクタは、容量の増大、干渉の軽減および回避、セルを一意に識別すること、セル曖昧さ除去、および／または省エネルギーを含むが、それらに限定されない様々な目的に使用することができる。いくつかの実施形態は、アップリンクおよび／またはダウンリンクアプリケーションのための可変帯域幅スケーリングファクタを与える。
【０１００】
より詳しく上述したように、帯域幅スケーリングファクタ、すなわちＮは、Ｎ＝１が正規セルラーキャリアを表し、Ｎ＞１（または場合によっては、フレキシブル帯域幅拡大ファクタと呼ばれ得るＮ＜１）がフレキシブル帯域幅信号を表し得るように、フレキシブル帯域幅削減ファクタを表すことができる。小型セル展開に対して、通常およびフレキシブル帯域幅キャリアは、キャリアオフセット（ＣＯ）だけ分離されてよい。たとえば、図８は、フレキシブル帯域幅キャリア８１０からキャリアオフセット８１５だけ分離された通常帯域幅キャリア８２０を含むキャリアシステム８００を示す。図２に示すように、通常帯域幅キャリア（または他のフレキシブル帯域幅キャリア）とフレキシブル帯域幅キャリアとの間のオーバーラップの量ならびに／あるいは各帯域幅キャリアの幅は変わってよく、したがって異なるキャリアオフセットが生じる。いくつかの展開において、フレキシブル帯域幅キャリアに対する近接セルは、別のフレキシブル帯域幅キャリアであってもよい。
【０１０１】
フレキシブル帯域幅キャリアの帯域幅を適応させるための実施形態が、提供される。いくつかの実施形態は、たとえばトラフィックパターン、干渉測定値などの情報に基づいて、フレキシブル帯域幅信号の帯域幅スケーリングファクタを変更することによって、フレキシブル帯域幅キャリアの帯域幅を動的に適応させることを含む。
【０１０２】
小型セルフレキシブル帯域幅信号の帯域幅は、いくつかの理由により調整され得る。いくつかの状況において、フレキシブル帯域幅信号の帯域幅は減少されてよい。図９Ａは、たとえば、帯域幅キャリア図９００−ａを示し、ここで、フレキシブル帯域幅キャリア９１０−ａは、帯域幅が減少し、結果として調節されたフレキシブル帯域幅キャリア９１０−ｂが生じるように調整され得る。この例では、フレキシブル帯域幅キャリア９１０−ａは、それに関連付けられた帯域幅スケーリングファクタＮを有してよく、調整帯域幅キャリア９１０−ｂは、それに関連付けられた帯域幅スケーリングファクタＭを有してよく、ここでＭ＜Ｎである。フレキシブル帯域幅信号の帯域幅を減少させることにより、他のセルに対する干渉を削減することができる。たとえば、フレキシブル帯域幅キャリアが、近接セルに対する干渉を引き起こしている可能性があるという指示がある場合、帯域幅は、他のキャリアに対する干渉を削減するように減少されてよく、いくつかの状況において、近接セルに対する干渉が多大であった可能性がある。フレキシブル帯域幅信号が通常帯域幅キャリアとオーバーラップ中であり得るシナリオにおいて、帯域幅は、オーバーラップ領域を減らすように削減されてよい。フレキシブル帯域幅信号の帯域幅を減少させることにより、帯域内干渉を削減することができる。たとえば、フレキシブル帯域幅セルは、近接セルから（場合によっては多大であり得る）干渉を受けている可能性がある場合、それ自体の帯域幅を、干渉を削減するために削減してよく、この削減は、セル自体のモバイルデバイスまたはＵＥによって受けられるサービス品質（ＱｏＳ）を維持するのを助ける。フレキシブル帯域幅信号の帯域幅を減少させることにより、エネルギーを節約することができる。たとえば、いくつかのキャリア上で容量が必要とされなくてよい場合、そのようなキャリアの帯域幅は削減されてよく、および／またはキャリアは、それらのキャリアにおける電力消費を削減するように電源切断されてよい。いくつかの実施形態では、フレキシブル帯域幅信号の帯域幅は、キャリア上での容量を増やすために、フレキシブル帯域幅信号の帯域幅を増大させるように調整され得る。履歴データまたは他の情報に基づいて、小型セルは、ネットワーク上でのトラフィックが増加する時間帯を予測することができる場合があり、そうすることによって、たとえば、そのようなトラフィックに合わせるように、帯域幅増大がスケジュールされ得る。トラフィックが減少すると、フレキシブル帯域幅の帯域幅が再度削減され得る。図９Ｂは、たとえば、帯域幅キャリア図９００−ｂを示し、ここで、フレキシブル帯域幅キャリア９１０−ｃは、帯域幅が増大し、結果として調節されたフレキシブル帯域幅キャリア９１０−ｄが生じるように調整され得る。この例では、フレキシブル帯域幅キャリア９１０−ｃは、それに関連付けられた帯域幅スケーリングファクタＮ＝Ｐを有してよく、調整帯域幅キャリア９１０−ｄは、それに関連付けられた帯域幅スケーリングファクタＮ＝Ｑを有してよく、ここでＰ＜Ｑである。場合によっては、中心周波数（たとえば、チャネルナンバー）も変わり得る。電力またはＰＳＤも変わり得る。
【０１０３】
単に例として、キャリアの帯域幅が概して静的であるレガシーリリース９９システム（フレキシブル帯域幅キャリアをもたない）と比較して、フレキシブル帯域幅システムは、基地局において帯域幅スケーリングファクタＮ値を変えることによって、動的帯域幅を生じ得る。場合によっては、帯域幅スケーリングファクタＮは、モバイルデバイスにおいて変えることができる。帯域幅を動的に変更するのにサブキャリアが概して使われるＬＴＥベースのシステム（フレキシブル帯域幅キャリアをもたない）と比較して、フレキシブル帯域幅システムは、その送信帯域幅を調整する能力をもつＣＤＭＡベースのシステムを使用することができる。
【０１０４】
いくつかの実施形態では、様々な異なるファクタによって帯域幅変更がトリガされ得る。たとえば、１つまたは複数の特定の時間を使って帯域幅変更がトリガされ得る。いくつかの特定の時間が、トラフィックプロファイリングから抽出され、関連付けられた帯域幅スケーリングファクタをもつ低負荷期間を構成するのに使用され得る。近接セルからの１つまたは複数のオフロード要求によって、帯域幅変更がトリガされ得る。可能性としては過負荷シナリオにつながり得る、フレキシブル帯域幅モバイルデバイスからの大幅なサービス要求の受信によって、帯域幅変更がトリガされ得る。フラクショナル帯域幅キャリアにおいて現在サポートされるよりも高いＱｏＳについてのモバイルデバイスの要求によって、帯域幅変更がトリガされ得る。
【０１０５】
フレキシブル帯域幅システムのための変化する帯域幅が、干渉削減および／または回避のために使用され得る。フレキシブル帯域幅キャリアは、それ自体のモバイルデバイスまたは近接するモバイルデバイスが高い干渉を受けている可能性があると推定し、次いで、その帯域幅を、干渉問題に対処するように適応させることができる。このプロセスを容易にするのに、いくつかのトリガが使用され得る。たとえば、それらのセルにおける高い干渉を示す、近接するキャリアに以前あったモバイルデバイスからのかなりの数のサービス要求によって、帯域幅変更がトリガされ得る。たとえば、近接セルからの高い干渉を示す、フレキシブル帯域幅キャリアに接続されたモバイルデバイスに対する乏しいＱｏＳ（たとえば、高いＢＬＥＲ）によって、帯域幅変更がトリガされ得る。近接セルからの干渉削減要求によって、帯域幅変更がトリガされ得る。
【０１０６】
小型セルフレキシブル帯域幅システムのための変化する帯域幅が、省エネルギーのためにも使用され得る。たとえば、いくつかの実施形態は、その帯域幅を削減し、またはトラフィックが低いときはオフになり、近接セルにおいてトラフィックが増加したときはオンに戻るオーバーレイフレキシブル帯域幅キャリアを含む。いくつかの状況において、フレキシブル帯域幅キャリアがその帯域幅を削減し、または電源切断する前に、モバイルデバイスは、そのキャリアからアンダーレイ帯域幅キャリアに移動され、アンダーレイ帯域幅キャリアはフレキシブルまたは通常帯域幅キャリアであってよい。アンダーレイキャリアは、オーバーレイとは異なるフレキシブル帯域幅を有し得る。モバイルデバイスが、アンダーレイセル上の帯域幅をサポートすることができる限り、オーバレイセルは電源切断することを認められ、または逆もまた同様であり得る。図１０は、オーバーレイ帯域幅キャリア１０１０とアンダーレイ帯域幅キャリア１０２０の両方を含むワイヤレス通信システム図１０００を示す。一般に、オーバーレイ帯域幅キャリア１０１０はフレキシブル帯域幅キャリアを含む。アンダーレイ帯域幅キャリア１０２０は、通常帯域幅キャリアであってもフレキシブル帯域幅キャリアであってもよい。アンダーレイ帯域幅キャリア１０２０は、オーバーレイ帯域幅キャリアとコロケートされてもコロケートされなくてもよい。コロケートされないシナリオでは、オーバレイセルのカバレージエリアをサポートするのに、複数のキャリアが必要とされ得る。アンダーレイ帯域幅キャリア１０２０は、オーバーレイ帯域幅キャリア１０１０に電源投入要求を送ることができる。アンダーレイ帯域幅キャリア１０２０は、いくつかの場合、その帯域幅を、電源切断され、または帯域幅が削減されたオーバーレイ帯域幅キャリア１０１０からのモバイルデバイスに合わせるように増大させなければならない可能性がある。
【０１０７】
ここで図１１Ａに移ると、システム通信図１１００−ａは、様々な実施形態による、帯域幅を変更するための１つの可能手順を示す。モバイルデバイス１１５は、たとえば、ブロック１１２５に示されるように、小型セルフレキシブル帯域幅キャリア１１１０−ａによりアイドルまたは接続モードにあってよい。小型セルフレキシブル帯域幅キャリア１１１０−ａは、たとえば、図１および／または図３に見られる小型セル１２５および／またはゲートウェイ１４０に関連付けられ得る。本明細書で論じる、容量、干渉軽減および／または回避、ならびに／あるいはネットワーク省エネルギー基準を含むが、それらに限定されない様々な異なるファクタに基づいて、帯域幅変更がトリガされ得る。ブロック１１３０は、帯域幅を変更するという決定が行われ得ることを反映している。この決定は小型セルにおいて行われ得るが、いくつかの状況において、モバイルデバイス、コントローラ、および／またはネットワークが、たとえば、図１に示すように、この決定を行うことができる。トリガされると、ゲートウェイなど、システムの１つまたは複数の態様は、帯域幅の変更または帯域幅スケーリングファクタＮの変更を調整することができる。帯域幅を変更するためのトリガは、メッセージとして受信され、または場合によっては時間に基づき得る。たとえば、別の帯域幅キャリア１１２０−ａが、小型セルフレキシブル帯域幅キャリア１１１０−ａによって、１１３５で通知を受けることができる。別の帯域幅キャリア１１２０−ａは、通常帯域幅キャリアであってもフレキシブル帯域幅キャリアであってもよい。帯域幅を変更するのに使用することができる帯域幅スケーリングファクタＮが、判断され得る。場合によっては、この適応型帯域幅スケーリングファクタは、小型セル自体が適応型帯域幅スケーリングファクタを判断しない場合、小型セルにシグナリングされてよい。
【０１０８】
いくつかの実施形態は、モバイルデバイスにおける帯域幅変更の影響を、様々なやり方で軽減することができる。たとえば、ブロードキャストチャネル（ＢＣＣＨ）修正情報が使用されてよい。システム通信図１１００−ａに示すように、１つまたは複数の他の帯域幅キャリアが、フレキシブル帯域幅キャリアについての帯域幅変更が起こり得ることを、１１３５で通知され得る。場合によっては、帯域幅を変更するためのメッセージが、モバイルデバイスにブロードキャストされてよい。モバイルデバイスは、場合によっては、変更が起きたとき、変更をアップデートしてもよい。１つまたは複数のモバイルデバイス１１５は、ブロック１１４０に示すように、他の帯域幅キャリアのうち１つにハンドオーバされ、および／または再選択され得る。帯域幅変更は、ブロック１１４５に示すように実施され得る。モバイルデバイス１１５は、変更の後、ブロック１１５０に示すように戻され得る。場合によっては、システム情報が、変更後の他のセルへの再選択と、セルへの戻りとを容易にするように修正され得る。
【０１０９】
いくつかの実施形態では、基地局は、ゲートウェイ１４０などのネットワークデバイスから帯域幅変更要求を受信し得る。小型セルは、ブロック１１４５に示すように帯域幅変更を実施し、変更が完了されると、ネットワークに報告を返すことができる。場合によっては、モバイルデバイスは、ブロック１１５０に示すように、帯域幅変更の後、フレキシブル帯域幅キャリアに移動され得る。
【０１１０】
フレキシブルスケールファクタは、整数個のサブキャリアに限定されたシステムにとって利用可能でない数値をとることができるので、実施形態は、他の形の通信システムよりも優れたフレキシブル性と粒度とを提供する。
【０１１１】
いくつかの実施形態では、小型セルフレキシブル帯域幅キャリア１１１０−ａは、少なくとも、小型セルフレキシブル帯域幅キャリア１１１０−ａの帯域幅が、ある帯域幅スケーリングファクタの使用から、別の帯域幅スケーリングファクタの使用に、いつ適応されるかに関する、モバイルデバイスへの時間またはタイミング期間を、モバイルデバイス１１５に送信することができる。モバイルデバイス１１５へのデータの送信は、タイミング期間中は控えられ、避けられ、および／またはスケジュールされなくてよい。この場合、モバイルデバイス１１５は、他の帯域幅キャリア１１２０−ｂに移動される必要はなくてよい。
【０１１２】
ここで図１１Ｂに移ると、システム通信図１１００−ｂは、様々な実施形態による、ネットワークエネルギー節約のための１つの可能手順を示す。モバイルデバイス１１５は、たとえば、ブロック１１２５−ｂに示されるように、小型セルフレキシブル帯域幅キャリア１１１０−ｂによりアイドルまたは接続モードにあってよい。小型セルフレキシブル帯域幅キャリア１１１０−ｂは、たとえば、図１および／または図３に見られる小型セル１２５および／またはゲートウェイ１４０に関連付けられ得る。ブロック１１５５は、小型セルフレキシブル帯域幅キャリア１１１０−ｂに関して、電源切断に変わるという決定が起こり得ることを反映している。この決定は小型セルにおいて行われ得るが、いくつかの状況において、モバイルデバイス、コントローラ、および／またはネットワークが、たとえば、図１に示すように、この決定を行うことができる。トリガされると、システムの１つまたは複数の態様が、電源切断を調整することができる。たとえば、ゲートウェイが、Ｎの変更を調整することができる。別の帯域幅キャリア１１２０−ｂが、小型セルフレキシブル帯域幅キャリア１１１０−ｂによって、１１３５−ａで通知を受けることができる。別の帯域幅キャリア１１２０−ｂは、通常帯域幅キャリアであってもフレキシブル帯域幅キャリアであってもよい。
【０１１３】
いくつかの実施形態は、モバイルデバイスにおける電源切断の影響を、様々なやり方で軽減することができる。たとえば、ブロードキャストチャネル（ＢＣＣＨ）修正情報が使用されてよい。システム通信図１１００−ｂに示すように、１つまたは複数の他の帯域幅キャリアが、小型セルフレキシブル帯域幅キャリア１１１０−ｂについての電源切断が起こり得ることを、１１３５−ａで通知され得る。場合によっては、電源切断に関するメッセージが、モバイルデバイスにブロードキャストされてよい。１つまたは複数のモバイルデバイス１１５は、ブロック１１４０−ａに示すように、他の帯域幅キャリアのうち１つにハンドオーバされ、および／または再選択され得る。電源切断は、ブロック１１６０に示すように実施され得る。モバイルデバイス１１５は、変更の後、ブロック１１５０−ａに示すように戻され得る。場合によっては、システム情報が、変更後の他のセルへの再選択と、セルへの戻りとを容易にするように修正され得る。
【０１１４】
いくつかの実施形態では、基地局は、ゲートウェイなどのネットワークデバイスから電源切断要求を受信し得る。小型セルは、ブロック１１６０に示すように、電源切断を実施することができる。場合によっては、モバイルデバイス１１５は、ブロック１１５０−ａに示すように、帯域幅変更の後、フレキシブル帯域幅キャリアに移動され得る。フレキシブル帯域幅キャリア１１１０−ｂを電源投入するという決定が、ブロック１１６５に示すように行われ得る。起動信号が、フレキシブル帯域幅キャリアに１１７０で送られ得る。フレキシブル帯域幅キャリアは、ブロック１１７５に示すように電源投入してよい。
【０１１５】
いくつかの実施形態は、小型セルのためのダウンリンクおよび／またはアップリンクキャリア帯域幅にフレキシブル帯域幅を適応させ、可変ダウンリンクおよび／またはアップリンクキャリア帯域幅を可能にすることを含み得る。いくつかのワイヤレスアプリケーションに対して、ダウンリンクおよびアップリンク向けのスループット要件は異なってよく、したがって、たとえば、トラフィック需要に基づいてダウンリンクおよび／またはアップリンク帯域幅を動的に変更することによって、スペクトルの効率的割振りが遂行され得る。より効率的配置のために、キャリア周波数チャネルナンバーも、帯域幅変更中に変更されてよい。いくつかの実施形態は、複数のフレキシブルアップリンクキャリアおよび／またはフレキシブルダウンリンクキャリアを使用することができる。異なるユーザが、ユーザの個々の必要に基づいて、異なるフレキシブルアップリンクキャリアおよび／またはフレキシブルダウンリンクキャリアに割り当てられ得る。さらに、異なるフレキシブルアップリンクキャリアが、異なるフレキシブルダウンリンクキャリアとクロス結合され得る。
【０１１６】
図１２Ａは、様々な実施形態による、フレキシブルダウンリンクキャリア１２１０−ａとフレキシブルアップリンクキャリア１２２０−ａとを含むキャリアシステム１２００−ａを示す。フレキシブルダウンリンクキャリア１２１０−ａおよびフレキシブルアップリンクキャリア１２２０−ａは、この例ではＳと呼ばれ得る、同じ帯域幅スケーリングファクタ（すなわち、Ｎ＝Ｓ）を使用することができる。フレキシブルダウンリンクキャリア１２１０−ａはチャネルナンバー１２１５−ａを使用することができ、フレキシブルアップリンクキャリア１２２０−ａはチャネルナンバー１２１５−ｂを使用することができる。図１２Ｂは、様々な実施形態による、フレキシブルダウンリンクキャリア１２１０−ｂとフレキシブルアップリンクキャリア１２２０−ｂとを含むキャリアシステム１２００−ｂを示す。フレキシブルダウンリンクキャリア１２１０−ｂは、図１２Ａのフレキシブルダウンリンクキャリア１２１０−ａの適応形を表すことができ、ここで帯域幅スケーリングファクタＮ＝Ｓは別の帯域幅スケーリングファクタＮ＝Ｍに減少しており、Ｍ＜Ｓである。フレキシブルアップリンクキャリア１２１０−ｂは、図１２Ａのフレキシブルアップリンクキャリア１２１０−ａの適応形を表すことができ、ここで帯域幅スケーリングファクタＮ＝Ｓは別の帯域幅スケーリングファクタＮ＝Ｔに増大しており、Ｔ＞Ｓである。いくつかの実施形態では、この帯域幅スケーリングファクタは減少し得る。フレキシブルダウンリンクキャリア１２１０−ａはチャネルナンバー１２１５−ａを使用することができ、フレキシブルアップリンクキャリア１２２０−ｂはチャネルナンバー１２１５−ｂを使用することができ、これらは図１２Ａに見られるのと同じチャネルナンバーである。図１２Ｃは、キャリアシステム１２００−ｃを示し、ここで、フレキシブルダウンリンクキャリア１２１０−ｂおよびフレキシブルアップリンクキャリア１２２０−ｂに関連付けられたチャネルナンバー１２１５−ｃおよび１２１５−ｄが変更され得る。チャネルナンバーのこの変更は、帯域幅チャネル中に起こり得る。図１２Ｄは、キャリアシステム１２００−ｄを示し、ここでフレキシブルダウンリンクキャリア１２１０−ｄは、フレキシブルアップリンクキャリア１２２０−ｅとクロス結合されてよく、同様に、フレキシブルアップリンクキャリア１２２０−ｄは、フレキシブルダウンリンクキャリア１２１０−ｅとクロス結合されてよい。複数のキャリアがあるので、いくつかの実施形態は、２  Ｎ＝４および１  Ｎ＝１を含むダウンリンクと結合された３アップリンクＮ＝２など、他の構成を使用してもよい。いくつかの実施形態は、フレキシブル帯域幅ＴＤＤキャリアおよび／またはフレキシブル帯域幅補助キャリアを使用することができる。場合によっては、これらのフレキシブル帯域幅キャリアは、小型セルのダウンリンクおよび／またはアップリンク用に使用することができる。補助キャリアの場合、これらのキャリアは一般に、通常（アップリンクおよびダウンリンクでのように）キャリアに結び付けられ得る。ＴＤＤの場合、いくつかの実施形態は、アップリンクおよび／またはダウンリンクの必要に合わせて最適化され得る複��の帯域幅スケーリングファクタがあるシナリオを使用することができる。
【０１１７】
図１３は、様々な実施形態による、小型セルのためのフレキシブル帯域幅を使用するために構成され得る通信システム１３００のブロック図を示す。このシステム１３００は、図１に示すシステム１００、図２のシステム２００、図３のシステム３００および／または図１５のシステム１５００の態様の一例であり得る。小型セル１２５−ｄは、アンテナ１３４５と、送受信機モジュール１３５０と、メモリ１３７０と、プロセッサモジュール１３６５とを含み得、その各々は、（たとえば、１つまたは複数のバスを介して）互いに直接または間接的に通信していることがある。送受信機モジュール１３５０は、アンテナ１３４５を介して、マルチモードモバイルデバイスであり得るモバイルデバイス１１５−ｄと、双方向に通信するように構成され得る。送受信機モジュール１３５０（および／または小型セル１２５−ｄの他の構成要素）はまた、１つまたは複数のネットワークと双方向に通信するように構成され得る。場合によっては、小型セル１２５−ｄは、ネットワーク通信モジュール１３７５を通じてネットワーク１３０−ｂおよび／またはゲートウェイ１４０−ｂと通信し得る。小型セル１２５−ｄは、いくつかの実施形態では、ホームｅノードＢ基地局および／またはホームノードＢ基地局の例であり得る。いくつかの実施形態では、小型セル１２５−ｄは、ワイヤレスに、ならびに／あるいはゲートウェイ１４０−ｂおよび／またはネットワーク１３０−ｂを通じて、他の小型セルと通信することができる。
【０１１８】
メモリ１３７０は、ランダムアクセスメモリ（ＲＡＭ）と読取り専用メモリ（ＲＯＭ）とを含み得る。メモリ１３７０はまた、実行されるとプロセッサモジュール１３６５に本明細書で説明する様々な機能（たとえば、呼処理、データベース管理、メッセージルーティングなど）を実施させるように構成された命令を含んでいるコンピュータ可読、コンピュータ実行可能ソフトウェアコード１３７１を記憶し得る。代替的に、ソフトウェア１３７１は、プロセッサモジュール１３６５によって直接的に実行可能でないことがあるが、たとえば、コンパイルされ実行されると、コンピュータに本明細書で説明する機能を実施させるように構成され得る。
【０１１９】
プロセッサモジュール１３６５は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール１３６５は、マイクロフォンを介してオーディオを受信し、そのオーディオを、受信したオーディオを表す（たとえば、長さ３０ｍｓの）パケットに変換し、そのオーディオパケットを送受信機モジュール１３５０に供給し、ユーザが話しているかどうかの指示を与えるように構成された音声エンコーダ（図示せず）を含み得る。代替的に、エンコーダはパケットのみを送受信機モジュール１３５０に供給し、パケット自体の供給または抑制／抑圧が、ユーザが話しているかどうかの指示を与え得る。
【０１２０】
送受信機モジュール１３５０は、パケットを変調し、変調されたパケットを送信のためにアンテナ１３４５に供給し、アンテナ１３４５から受信されたパケットを復調するように構成されたモデムを含み得る。小型セル１２５−ｄのいくつかの例は単一のアンテナ１３４５を含み得るが、小型セル１２５−ｄは、好ましくは、キャリアアグリゲーションをサポートし得る複数のリンクのための複数のアンテナ１３４５を含む。たとえば、モバイルデバイス１１５−ｄとのマクロ通信をサポートするために１つまたは複数のリンクが使用され得る。
【０１２１】
図１３のアーキテクチャによれば、小型セル１２５−ｄは、通信管理モジュール１３３０をさらに含み得る。通信管理モジュール１３３０は、他の小型セル（図示せず）との通信を管理し得る。例として、通信管理モジュール１３３０は、バスを介して小型セル１２５−ｄの他の構成要素の一部またはすべてと通信している小型セル１２５−ｄの構成要素であり得る。代替的に、通信管理モジュール１３３０の機能は、送受信機モジュール１３５０の構成要素として、コンピュータプログラム製品として、および／またはプロセッサモジュール１３６５の１つまたは複数のコントローラ要素として実装され得る。
【０１２２】
小型セル１２５−ｄのための構成要素は、図７のデバイス７００に関して上記で説明した態様を実装するように構成され得、簡潔のためにここで繰り返さないことがある。小型セルスケーリングモジュール７１２−ａは、小型セルスケーリングモジュール７１２の一例であり得る。小型セルＰＮオフセットモジュール７１４−ａは、小型セルＰＮオフセットモジュール７１２の一例であり得る。小型セルビーコンモジュール７１６−ａは、小型セルビーコンモジュール７１６の一例であり得る。小型セル自己構成モジュール７１８−ａは、小型セル自己構成モジュール７１８の一例であり得る。小型セルフレキシブル帯域幅モジュール７１０−ｂは、小型セルフレキシブル帯域幅モジュール７１０および／または７１０−ａの一例であり得る。
【０１２３】
小型セル１２５−ｄは、スペクトル識別モジュール１３１５も含み得る。スペクトル識別モジュール１３１５は、フレキシブル波形にとって利用可能なスペクトルを識別するのに使用することができる。いくつかの実施形態では、ハンドオーバモジュール１３２５が、ある基地局１０５から別の基地局へのモバイルデバイス１１５−ｄのハンドオーバ手順を実施するのに使用され得る。たとえば、ハンドオーバモジュール１３２５は、小型セル１２５−ｄから別の小型セルへのモバイルデバイス１１５−ｄのハンドオーバ手順を実施することができ、ここで、モバイルデバイス１１５−ｄと他の小型セルおよび／または基地局との間では通常波形が使用され、モバイルデバイスと別の小型セルおよび／または基地局との間ではフレキシブル波形が使用される。スケーリングモジュール９１０−ｂは、フレキシブル波形を生成するようにチップレートをスケーリングし、および／または変えるのに使用することができる。
【０１２４】
いくつかの実施形態では、アンテナ１３４５と連結された送受信機モジュール１３５０は、小型セル１２５−ｄの他の可能構成要素とともに、フレキシブル波形および／または帯域幅スケーリングファクタに関する情報を、小型セル１２５−ｄから、モバイルデバイス１１５−ｄに、他の小型セルおよび／または基地局、ゲートウェイ１４０−ｂ、ならびに／あるいはコアネットワーク１３０−ｂに送信することができる。いくつかの実施形態では、アンテナ１３４５と連結された送受信機モジュール１３５０は、小型セル１２５−ｄの他の可能構成要素とともに、モバイルデバイス１１５−ｄに、他の小型セルおよび／または基地局に、ゲートウェイ１４０−ｂに、ならびに／あるいはコアネットワーク１３０−ｂに、これらのデバイスまたはシステムがフレキシブル波形を使用することができるように、フレキシブル波形および／または帯域幅スケーリングファクタなどの情報を送信することができる。
【０１２５】
図１４は、様々な実施形態による、フレキシブル帯域幅の使用を容易にするように構成されたモバイルデバイス１１５−ｅのブロック図１４００である。モバイルデバイス１１５−ｅは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなどのような、様々な構成のいずれかを有し得る。モバイルデバイス１１５−ｅは、モバイル動作を支援するために、小さなバッテリーのような内部電源（図示せず）を有し得る。いくつかの実施形態では、モバイルデバイス１１５−ｅは、図１、図２、図３、図１３、および／または図１５のモバイルデバイス１１５、ならびに／あるいは図７のデバイス７００であってよい。モバイルデバイス１１５−ｅはマルチモードモバイルデバイスであり得る。モバイルデバイス１１５−ｅは、場合によってはワイヤレス通信デバイスと呼ばれ得る。
【０１２６】
モバイルデバイス１１５−ｅは、アンテナ１４４０と、送受信機モジュール１４５０と、メモリ１４８０と、プロセッサモジュール１４７０とを含んでよく、その各々は、（たとえば、１つまたは複数のバスを介して）互いに、直接または間接的に通信していてよい。送受信機モジュール１４５０は、上記で説明したように、アンテナ１４４０および／または１つもしくは複数のワイヤードもしくはワイヤレスリンクを介して、１つまたは複数のネットワークと双方向に通信するように構成される。たとえば、送受信機モジュール１４５０は、図１、図２、図３、図１３、および／または図１５の基地小型セルと双方向に通信するように構成され得る。送受信機モジュール１４５０は、パケットを変調し、変調されたパケットを送信のためにアンテナ１４４０に供給し、アンテナ１４４０から受信されたパケットを復調するように構成されたモデムを含み得る。モバイルデバイス１１５−ｅは単一のアンテナを含み得るが、モバイルデバイス１１５−ｅは通常、複数のリンクのための複数のアンテナ１４４０を含む。
【０１２７】
メモリ１４８０は、ランダムアクセスメモリ（ＲＡＭ）と読取り専用メモリ（ＲＯＭ）とを含み得る。メモリ１４８０は、実行されるとプロセッサモジュール１４７０に本明細書で説明する様々な機能（たとえば、呼処理、データベース管理、メッセージルーティングなど）を実施させるように構成された命令を含んでいるコンピュータ可読、コンピュータ実行可能ソフトウェアコード１４８５を記憶し得る。代替的に、ソフトウェア１４８５は、プロセッサモジュール１４７０によって直接的に実行可能でないことがあるが、たとえば、コンパイルされ実行されると、コンピュータに本明細書で説明する機能を実施させるように構成され得る。
【０１２８】
プロセッサモジュール１４７０は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール１４７０は、マイクロフォンを介してオーディオを受信し、そのオーディオを、受信したオーディオを表す（たとえば、長さ３０ｍｓの）パケットに変換し、そのオーディオパケットを送受信機モジュール１４５０に供給し、ユーザが話しているかどうかの指示を与えるように構成された音声エンコーダ（図示せず）を含み得る。代替的に、エンコーダはパケットのみを送受信機モジュール１４５０に供給し、パケット自体の供給または抑制／抑圧が、ユーザが話しているかどうかの指示を与え得る。
【０１２９】
図１４のアーキテクチャによれば、モバイルデバイス１１５−ｅは、通信管理モジュール１４６０をさらに含み得る。通信管理モジュール１４６０は、他のモバイルデバイス１１５との通信を管理し得る。例として、通信管理モジュール１４６０は、バスを介してモバイルデバイス１１５−ｅの他の構成要素の一部またはすべてと通信しているモバイルデバイス１１５−ｅの構成要素であり得る。代替的に、通信管理モジュール１４６０の機能は、送受信機モジュール１４５０の構成要素として、コンピュータプログラム製品として、および／またはプロセッサモジュール１４７０の１つまたは複数のコントローラ要素として実装され得る。
【０１３０】
モバイルデバイス１１５−ｅのための構成要素は、図７のデバイス７００を参照して上で論じた態様を容易にするように構成され得る。たとえば、フレキシブル帯域幅モジュール１４１０および／または小型セル通信モジュール１４２０が、フレキシブル帯域幅用に構成された小型セルとの通信を容易にし得る。
【０１３１】
モバイルデバイス１１５−ｅは、スペクトル識別モジュール１４１５も含み得る。スペクトル識別モジュール１４１５は、フレキシブル波形にとって利用可能なスペクトルを識別するのに使用することができる。いくつかの実施形態では、ハンドオーバモジュール１４２５が、小型セルおよび／または基地局の間での、モバイルデバイス１１５−ｅのハンドオーバ手順を実施するのに使用され得る。たとえば、ハンドオーバモジュール１４２５は、小型セルから基地局への、および／またはその逆の、モバイルデバイス１１５−ｅのハンドオーバ手順を実施することができ、ここで、モバイルデバイス１１５−ｅと小型セルおよび／または基地局との間では通常波形が使用され、モバイルデバイスと別の基地局および／または小型セルとの間ではフレキシブル波形が使用される。スケーリングモジュール９１０−ａは、フレキシブル波形を生成するようにチップレートをスケーリングし、および／または変えるのに使用することができる。
【０１３２】
いくつかの実施形態では、アンテナ１４４０と連結された送受信機モジュール１４５０は、モバイルデバイス１１５−ｅの他の可能構成要素とともに、フレキシブル波形および／または帯域幅スケーリングファクタに関する情報を、モバイルデバイス１１５−ｅから基地局またはコアネットワークに送信することができる。いくつかの実施形態では、アンテナ１４４０と連結された送受信機モジュール１４５０は、モバイルデバイス１１５−ｅの他の可能構成要素とともに、基地局またはコアネットワークに、これらのデバイスまたはシステムがフレキシブル波形を使用することができるように、フレキシブル波形および／または帯域幅スケーリングファクタなどの情報を送信することができる。
【０１３３】
図１５は、様々な実施形態による、小型セル１２５−ｅとモバイルデバイス１１５−ｆとを含むシステム１５００のブロック図である。このシステム１５００は、図１のシステム１００、図２のシステム２００、図３のシステム３００および／または図１３のシステム１３００の一例であり得る。小型セル１２５−ｅはアンテナ１５３４−ａ〜１５３４−ｘを装備することができ、モバイルデバイス１１５−ｆはアンテナ１５５２−ａ〜１５５２−ｎを装備することができる。小型セル１２５−ｅにおいて、送信プロセッサ１５２０がデータソースからデータを受信し得る。
【０１３４】
送信プロセッサ１５２０はデータを処理することができる。送信プロセッサ１５２０はまた、基準シンボルとセル固有基準信号とを生成し得る。送信（ＴＸ）ＭＩＭＯプロセッサ１５３０が、適用可能な場合、データシンボル、制御シンボル、および／または基準シンボルに対して空間処理（たとえば、プリコーディング）を実施してよく、出力シンボルストリームを送信変調器１５３２−ａ〜１５３２−ｘに与え得る。各変調器１５３２は、（たとえば、ＯＦＤＭなどの）それぞれの出力シンボルストリームを処理して、出力サンプルストリームを得ることができる。各変調器１５３２はさらに、出力サンプルストリームを処理（たとえば、アナログへの変換、増幅、フィルタ処理、およびアップコンバート）して、ダウンリンク（ＤＬ）信号を取得し得る。一例では、変調器１５３２−ａ〜１５３２−ｘからのＤＬ信号は、それぞれアンテナ１５３４−ａ〜１５３４−ｘを介して送信され得る。送信プロセッサ１５２０は、フレキシブル帯域幅プロセッサ１５４０から情報を受信し得る。フレキシブル帯域幅プロセッサ１５４０は、メモリ１５４２に結合され得る。フレキシブル帯域幅プロセッサ１５４０は、チップレートを変え、および／または帯域幅スケーリングファクタを使用することを通じて、フレキシブル波形を生成するように構成され得る。いくつかの実施形態では、プロセッサモジュール１５４０は、様々な実施形態によると、フレキシブル帯域幅を動的に適応させるために構成され得る。フレキシブル帯域幅プロセッサ１５４０は、小型セル１２５−ｅとモバイルデバイス１１５−ｆとの間の送信に関連付けられたフレキシブル帯域幅信号の１つまたは複数の帯域幅スケーリングファクタを動的に調整することができる。これらの調節は、たとえばトラフィックパターン、干渉測定値などの情報に基づいて行われ得る。
【０１３５】
たとえば、システム１５００内で、フレキシブル帯域幅プロセッサ１５４０は、小型セル１２５−ｅのためのフレキシブル帯域幅を実装するために構成され得る。たとえば、フレキシブル帯域幅プロセッサ１５４０は、小型セル１２５−ｅのためのフレキシブル帯域幅キャリアを生成するように構成され得る。いくつかの実施形態では、フレキシブル帯域幅プロセッサ１５４０は、第１の帯域幅スケーリングファクタを使用して、フレキシブル帯域幅キャリアを生成することができる。いくつかの実施形態では、フレキシブル帯域幅プロセッサ１５４０は、小型セル１２５−ｅについての第１の帯域幅スケーリングファクタを判断する。
【０１３６】
いくつかの実施形態では、フレキシブル帯域幅プロセッサ１５４０は、小型セル１２５−ｅについての第２の帯域幅スケーリングファクタなどの追加帯域幅スケーリングファクタを判断する。フレキシブル帯域幅プロセッサ１５４０は、小型セル１２５−ｅのためのフレキシブル帯域幅キャリアを、第１の帯域幅スケーリングファクタの使用から、第２の帯域幅スケーリングファクタなど、別の帯域幅スケーリングファクタの使用に適応させることができる。いくつかの実施形態では、小型セル１２５−ｅのためのフレキシブル帯域幅キャリアを、第１の帯域幅スケーリングファクタの使用から、第２の帯域幅スケーリングファクタの使用に適応させることにより、フレキシブル帯域幅キャリアの帯域幅を、少なくともトラフィック増加またはサービス品質要件をサポートするように増大させる。
【０１３７】
いくつかの実施形態では、フレキシブル帯域幅プロセッサ１５４０は、少なくとも、小型セル１２５−ｅによってサポートされるべきユーザの数または小型セル１２５−ｅの１人もしくは複数のユーザに対するトラフィック需要を判断する。フレキシブル帯域幅プロセッサ１５４０は、少なくとも判断されたユーザ数または判断されたトラフィック需要を使用して、第１の帯域幅スケーリングファクタを判断することができる。フレキシブル帯域幅プロセッサ１５４０は、フレキシブル帯域幅キャリアを使用するとき、小型セルのチャネルナンバーを変更することができる。
【０１３８】
フレキシブル帯域幅プロセッサ１５４０は、フレキシブル帯域幅キャリアを使用する小型セルの送信電力を変えることを通じて、フレキシブル帯域幅キャリアを使用する小型セル１２５−ｅについてのビーコン−ライク状態を生成することができる。いくつかの実施形態では、フレキシブル帯域幅キャリアを使用する小型セルの送信電力は、通常帯域幅キャリアを使用する小型セル１２５−ｅのための送信電力未満である。いくつかの実施形態では、フレキシブル帯域幅キャリアを使用する小型セル１２５−ｅの電力スペクトル密度は、通常帯域幅キャリアを使用する小型セルについての電力スペクトル密度よりも大きい。フレキシブル帯域幅プロセッサ１５４０は、小型セル１２５−ｅについてのビーコン−ライク状態を生成して、小型セル検出のための小型セルの範囲を拡大することができる。
【０１３９】
いくつかの実施形態では、フレキシブル帯域幅プロセッサ１５４０は、帯域幅スケーリングファクタに基づく通常帯域幅キャリアのためのＰＮオフセット分離と比較して、小型セル１２５−ｅと別の小型セルとの間の膨張チップ内のＰＮオフセット分離を低下させるように構成される。膨張チップ内のＰＮオフセット分離を低下させることにより、小型セル１２５−ｅおよび少なくとも１つの他の小型セルに関連付けられた一意のＰＮオフセットの数を増やすことができる。一意のＰＮオフセットの数を増やした結果、マクロセルから小型セルへのハンドインを容易にする一意の小型セル識別が生じ得る。
【０１４０】
フレキシブル帯域幅プロセッサ１５４０は、フレキシブル帯域幅キャリアを使用して小型セル１２５−ｅがその中で動作するためのマクロセルの通常帯域幅チャネルの部分を判断するように構成され得る。フレキシブル帯域幅プロセッサ１５４０は、小型セルがその中で動作するための通常帯域幅チャネルの部分に関する情報を送信するように構成され得る。いくつかの実施形態では、フレキシブル帯域幅プロセッサ１５４０は、別のフレキシブル帯域幅キャリアを使用して別の小型セルがその中で動作すると判断した通常チャネルの部分に関する情報を、別の小型セルから受信するように構成される。フレキシブル帯域幅プロセッサ１５４０は、フレキシブル帯域幅キャリアを使用してその中で動作するための通常チャネルの別の部分を、受信した情報に基づいて判断することができる。別のフレキシブル帯域幅キャリアを使用して別の小型セルがその中で動作すると判断した通常チャネルの部分に関する、別の小型セルからの情報は、小型セルのネットワーク使用モードを使用することができる。
【０１４１】
モバイルデバイス１１５−ｆにおいて、モバイルデバイスアンテナ１５５２−ａ〜１５５２−ｎは、モバイルデバイス１２５−ｅからＤＬ信号を受信し、受信した信号をそれぞれ復調器１５５４−ａ〜１５５４−ｎに与え得る。各復調器１５５４は、それぞれの受信信号を調整（たとえば、フィルタ処理、増幅、ダウンコンバート、およびデジタル化）して、入力サンプルを取得し得る。各復調器１５５４はさらに、（たとえば、ＯＦＤＭなどの）入力サンプルを処理して受信シンボルを取得し得る。ＭＩＭＯ検出器１５５６は、すべての復調器１５５４−ａ〜１５５４−ｎから受信シンボルを取得し、適用可能な場合は受信シンボルに対してＭＩＭＯ検出を実施し、検出シンボルを与え得る。受信プロセッサ１５５８が、検出シンボルを処理（たとえば、復調、デインターリーブ、および復号）し、モバイルデバイス１１５−ｆの復号されたデータをデータ出力に与え、復号された制御情報をフレキシブル帯域幅プロセッサ１５８０、またはメモリ１５８２に与え得る。
【０１４２】
アップリンク（ＵＬ）または逆方向リンク上で、モバイルデバイス１１５−ｆにおいて、送信プロセッサ１５６４がデータソースからデータを受信し、処理し得る。送信機プロセッサ１５６４はまた、基準信号のための基準シンボルを生成し得る。送信機プロセッサ１５６４からのシンボルは、送信ＭＩＭＯプロセッサ１５６６によってプリコードされ、当てはまる場合は、復調器１５５４−ａ〜１５５４−ｎによって（たとえば、ＳＣ−ＦＤＭＡなど用に）さらに処理され、小型セル１２５−ｅから受信された送信パラメータに従って小型セル１２５−ｅに送信され得る。送信機プロセッサ１５６４は、チップレートを変え、および／または帯域幅スケーリングファクタを使用することを通じて、フレキシブル波形を生成するように構成されてもよく、この生成は、場合によっては動的に行われ得る。送信機プロセッサ１５６４は、フレキシブル帯域幅プロセッサ１５８０から情報を受信し得る。フレキシブル帯域幅プロセッサ１５８０は、異なる整列および／またはオフセット手順を可能にし得る。フレキシブル帯域幅プロセッサ１５８０は、スケーリングおよび／またはチップレート情報を使用して、他のサブシステムにおいて測定を実施し、他のサブシステムへのハンドオフを実施し、再選択を実施することなどができる。フレキシブル帯域幅プロセッサ１５８０は、パラメータスケーリングを通じてフレキシブル帯域幅の使用に関連付けられたタイムストレッチの効果を反転させることができる。小型セル１２５−ｅにおいて、モバイルデバイス１１５−ｆからのＵＬ信号は、アンテナ１５３４によって受信され、復調器１５３２によって処理され、適用可能な場合はＭＩＭＯ検出器１５３６によって検出され、さらに受信機プロセッサによって処理され得る。受信機プロセッサ１５３８は、復号されたデータをデータ出力とフレキシブル帯域幅プロセッサ１５８０とに与え得る。いくつかの実施形態では、フレキシブル帯域幅プロセッサ１５８０は、汎用プロセッサ、送信機プロセッサ１５６４、および／または受信機プロセッサ１５５８の一部として実装され得る。
【０１４３】
図１６Ａに移ると、様々な実施形態による、フレキシブル帯域幅小型セルを実装するための方法１６００−ａの流れ図。方法１６００−ａは、図１、図２、図３、図１３、および／または図１５に見られる小型セル１２５、図１、図２、図３、図１３、図１４、および／または図１５に見られるモバイルデバイス１１５、ならびに／あるいは図７のデバイス７００を含むが、それらに限定されない様々なワイヤレス通信デバイスおよび／またはシステムを使用して実装され得る。
【０１４４】
ブロック１６０５で、小型セルのための第１の帯域幅スケーリングファクタが判断され得る。ブロック１６１０で、第１の帯域幅スケーリングファクタを使用して、小型セルのためのフレキシブル帯域幅キャリアが生成され得る。
【０１４５】
いくつかの実施形態は、小型セルについての第２の帯域幅スケーリングファクタなどの追加帯域幅スケーリングファクタを判断することをさらに含み得る。小型セルのためのフレキシブル帯域幅キャリアは、第１の帯域幅スケーリングファクタの使用から、第２の帯域幅スケーリングファクタなど、別の帯域幅スケーリングファクタの使用に適応され得る。いくつかの実施形態では、小型セルのためのフレキシブル帯域幅キャリアを、第１の帯域幅スケーリングファクタの使用から、第２の帯域幅スケーリングファクタの使用に適応させることにより、フレキシブル帯域幅キャリアの帯域幅を、少なくともトラフィック増加またはサービス品質要件をサポートするように増大させる。
【０１４６】
いくつかの実施形態は、アップリンクおよびダウンリンク用に異なるフレキシブル帯域幅を使用する。一実施形態では、アップリンクまたはダウンリンクの一方は全帯域幅キャリアであってよく、他方は、１よりも大きい帯域幅スケーリングファクタをもつフレキシブル帯域幅キャリアである。トラフィックがダウンリンクにおいてより多い場合、ダウンリンクは全帯域幅であってよく、逆もまた同様である。たとえば、フレキシブル帯域幅小型セルは、小型セルモバイルのサービス品質要件がフレキシブル帯域幅キャリアで満たされ得るとき、エネルギーを節約するために、ダウンリンクおよびアップリンク用にフレキシブル帯域幅を使用することができる。いくつかの実施形態では、第１の帯域幅スケーリングファクタを使用して、小型セルのためのフレキシブル帯域幅キャリアを生成することは、アップリンクのためのフレキシブル帯域幅キャリアを生成することを含み、小型セル向けのダウンリンクのための帯域幅は、アップリンクとは異なる。いくつかの実施形態では、第１の帯域幅スケーリングファクタを使用して、小型セルのためのフレキシブル帯域幅キャリアを生成することは、ダウンリンクのためのフレキシブル帯域幅キャリアを生成することを含み、小型セル向けのアップリンクのための帯域幅は、ダウンリンクとは異なる。いくつかの実施形態は、アップリンクに関して少なくとも第１のチャネルナンバーまたは第１の中心周波数と、ダウンリンクに関して少なくとも第２のチャネルナンバーまたは第２の中心周波数とを変更することを含む。いくつかの実施形態は、小型セルのためのフレキシブル帯域幅キャリアを第１の帯域幅スケーリングファクタの使用から第２の帯域幅スケーリングファクタの使用に適応させるときにフレキシブル帯域幅キャリアを使用するとき、少なくとも小型セルのチャネルナンバーまたは中心周波数を変更することを含む。
【０１４７】
いくつかの実施形態では、少なくとも小型セルによってサポートされるべきユーザの数または小型セルの１人もしくは複数のユーザに対するトラフィック需要が判断され得る。少なくとも判断されたユーザ数または判断されたトラフィック需要が、第１の帯域幅スケーリングファクタを判断するのに使用され得る。フレキシブル帯域幅キャリアを使用するとき、小型セルのチャネルナンバーが変更され得る。
【０１４８】
いくつかの実施形態は、フレキシブル帯域幅キャリアを使用する小型セルの送信電力を変えることを通じて、フレキシブル帯域幅キャリアを使用する小型セルについてのビーコン−ライク状態を生成することをさらに含む。いくつかの実施形態では、フレキシブル帯域幅キャリアを使用する小型セルの送信電力は、通常帯域幅キャリアを使用する小型セルのための送信電力未満である。いくつかの実施形態では、フレキシブル帯域幅キャリアを使用する小型セルの電力スペクトル密度は、通常帯域幅キャリアを使用する小型セルについての電力スペクトル密度よりも大きい。小型セルについてのビーコン−ライク状態が、小型セル検出のための小型セルの範囲を拡大するように生成され得る。いくつかの実施形態は、フレキシブル帯域幅キャリアとともに通常帯域幅キャリアを使用して、小型セルについてのビーコン−ライク状態を生成することを含む。いくつかの実施形態は、フレキシブル帯域幅ビーコン−ライク状態とともに、小型セルのための通常帯域幅キャリアを生成することを含む。いくつかの実施形態は、フレキシブル帯域幅ビーコン−ライク状態とともに、小型セルのためのフレキシブル帯域幅キャリアを生成することを含む。
【０１４９】
いくつかの実施形態は、帯域幅スケーリングファクタに基づく通常帯域幅キャリアのためのＰＮオフセット分離と比較して、小型セルと別の小型セルとの間の膨張チップ内のＰＮオフセット分離を低下させることをさらに含む。膨張チップ内のＰＮオフセット分離を低下させることにより、小型セルおよび少なくとも１つの他の小型セルに関連付けられた一意のＰＮオフセットの数を増やすことができる。一意のＰＮオフセットの数を増やした結果、マクロセルから小型セルへのハンドインを容易にする一意の小型セル識別が生じ得る。この場合、マクロセルは、フレキシブル帯域幅キャリアを使っても使わなくてもよい。いくつかの実施形態では、一意のＰＮオフセットの数を増やした結果、小型セルから小型セルへのハンドオーバを容易にする一意の小型セル識別が生じる。いくつかの実施形態では、帯域幅スケーリングファクタは、小型セル識別を容易にするのに使用することができる。
【０１５０】
いくつかの実施形態は、フレキシブル帯域幅キャリアを使用して小型セルが動作するためのマクロセルの帯域幅チャネル部分を判断することをさらに含む。いくつかの実施形態は、小型セルがその中で動作するための帯域幅チャネルの部分に関する情報を送信する。別のフレキシブル帯域幅キャリアを使用して別の小型セルがその中で動作すると判断したチャネルの部分に関する情報が、別の小型セルから受信され得る。いくつかの実施形態は、フレキシブル帯域幅キャリアを使用して、その中で動作するための通常チャネルの別の部分を、受信した情報に基づいて判断することを含む。別のフレキシブル帯域幅キャリアを使用して別の小型セルがその中で動作すると判断したチャネルの部分に関する、別の小型セルからの情報は、小型セルのネットワーク使用モードを使用することができる。いくつかの実施形態では、マクロセルの帯域幅チャネルは、マクロセルの通常帯域幅チャネルであり得る。
【０１５１】
図１６Ｂに移ると、様々な実施形態による、フレキシブル帯域幅小型セルを実装するための方法１６００−ｂの流れ図。方法１６００−ｂは、図１、図２、図３、図１３、および／または図１５に見られる小型セル１２５、図１、図２、図３、図１３、図１４、および／または図１５に見られるモバイルデバイス１１５、ならびに／あるいは図７のデバイス７００を含むが、それらに限定されない様々なワイヤレス通信デバイスおよび／またはシステムを使用して実装され得る。方法１６００−ｂは、方法１６００−ａの一例であり得る。
【０１５２】
ブロック１６１５で、少なくとも小型セルによってサポートされるべきユーザの数または小型セルの１人もしくは複数のユーザに対するトラフィック需要が判断され得る。ブロック１６０５−ａで、小型セルのための第１の帯域幅スケーリングファクタが、少なくとも判断されたユーザ数または判断されたトラフィック需要に基づいて判断され得る。ブロック１６１０−ａで、第１の帯域幅スケーリングファクタを使用して、小型セルのためのフレキシブル帯域幅キャリアが生成され得る。ブロック１６２０で、フレキシブル帯域幅キャリアを使用するとき、小型セルのチャネルナンバーが変更され得る。
【０１５３】
いくつかの実施形態は、小型セルについての第２の帯域幅スケーリングファクタなどの追加帯域幅スケーリングファクタを判断することをさらに含む。小型セルのためのフレキシブル帯域幅キャリアは、第１の帯域幅スケーリングファクタの使用から、第２の帯域幅スケーリングファクタなど、別の帯域幅スケーリングファクタの使用に適応され得る。いくつかの実施形態では、小型セルのためのフレキシブル帯域幅キャリアを、第１の帯域幅スケーリングファクタの使用から、第２の帯域幅スケーリングファクタの使用に適応させることにより、フレキシブル帯域幅キャリアの帯域幅を、少なくともトラフィック増加またはサービス品質要件をサポートするように増大させる。
【０１５４】
図１６Ｃに移ると、様々な実施形態による、フレキシブル帯域幅小型セルを実装するための方法１６００−ｃの流れ図。方法１６００−ｃは、図１、図２、図３、図１３、および／または図１５に見られる小型セル１２５、図１、図２、図３、図１３、図１４、および／または図１５に見られるモバイルデバイス１１５、ならびに／あるいは図７のデバイス７００を含むが、それらに限定されない様々なワイヤレス通信デバイスおよび／またはシステムを使用して実装され得る。方法１６００−ｃは、方法１６００−ａの一例であり得る。
【０１５５】
ブロック１６０５−ｂで、小型セルのための第１の帯域幅スケーリングファクタが判断され得る。ブロック１６１０−ｂで、第１の帯域幅スケーリングファクタを使用して、小型セルのためのフレキシブル帯域幅キャリアが生成され得る。ブロック１６２５で、フレキシブル帯域幅キャリアを使用して、小型セルについてのビーコン−ライク状態を生成するように、小型セルの送信電力が変えられ得る。いくつかの実施形態では、フレキシブル帯域幅キャリアを使用する小型セルの送信電力は、通常帯域幅キャリアを使用する小型セルのための送信電力未満である。いくつかの実施形態では、フレキシブル帯域幅キャリアを使用する小型セルの電力スペクトル密度は、通常帯域幅キャリアを使用する小型セルについての電力スペクトル密度よりも大きい。小型セルについてのビーコン−ライク状態が、小型セル検出のための小型セルの範囲を拡大するように生成され得る。
【０１５６】
図１６Ｄに移ると、様々な実施形態による、フレキシブル帯域幅小型セルを実装するための方法１６００−ｄの流れ図。方法１６００−ｄは、図１、図２、図３、図１３、および／または図１５に見られる小型セル１２５、図１、図２、図３、図１３、図１４、および／または図１５に見られるモバイルデバイス１１５、ならびに／あるいは図７のデバイス７００を含むが、それらに限定されない様々なワイヤレス通信デバイスおよび／またはシステムを使用して実装され得る。方法１６００−ｄは、１６００−ａの一例であり得る。
【０１５７】
ブロック１６０５−ｃで、小型セルのための第１の帯域幅スケーリングファクタが判断され得る。ブロック１６１０−ｃで、第１の帯域幅スケーリングファクタを使用して、小型セルのためのフレキシブル帯域幅キャリアが生成され得る。ブロック１６３０で、第１の帯域幅スケーリングファクタに基づく通常帯域幅キャリアのためのＰＮオフセット分離と比較して、小型セルと別の小型セルとの間の膨張チップ内のＰＮオフセット分離が低下され得る。膨張チップ内のＰＮオフセット分離を低下させることにより、小型セルおよび少なくとも１つの他の小型セルに関連付けられた一意のＰＮオフセットの数を増やすことができる。一意のＰＮオフセットの数を増やした結果、マクロセルから小型セルへのハンドインを容易にする一意の小型セル識別が生じ得る。
【０１５８】
図１６Ｅに移ると、様々な実施形態による、フレキシブル帯域幅小型セルを実装するための方法１６００−ｅの流れ図。方法１６００−ｅは、図１、図２、図３、図１３、および／または図１５に見られる小型セル１２５、図１、図２、図３、図１３、図１４、および／または図１５に見られるモバイルデバイス１１５、ならびに／あるいは図７のデバイス７００を含むが、それらに限定されない様々なワイヤレス通信デバイスおよび／またはシステムを使用して実装され得る。方法１６００−ｅは、図１６Ａの方法１６００−ａの一例であり得る。
【０１５９】
ブロック１６０５−ｄで、小型セルのための第１の帯域幅スケーリングファクタが判断され得る。ブロック１６１０−ｄで、第１の帯域幅スケーリングファクタを使用して、小型セルのためのフレキシブル帯域幅キャリアが生成され得る。ブロック１６３５で、フレキシブル帯域幅キャリアを使用して小型セルが動作するためのマクロセルの帯域幅チャネル部分が判断され得る。いくつかの実施形態は、小型セルがその中で動作するための帯域幅チャネルの部分に関する情報を送信する。別のフレキシブル帯域幅キャリアを使用して別の小型セルがその中で動作すると判断したチャネルの部分に関する情報が、別の小型セルから受信され得る。いくつかの実施形態は、フレキシブル帯域幅キャリアを使用して、その中で動作するための通常チャネルの別の部分を、受信した情報に基づいて判断することを含む。別のフレキシブル帯域幅キャリアを使用して別の小型セルがその中で動作すると判断したチャネルの部分に関する、別の小型セルからの情報は、小型セルのネットワーク使用モードを使用することができる。いくつかの実施形態では、マクロセルの帯域幅チャネルは、マクロセルの通常帯域幅チャネルであり得る。
【０１６０】
添付の図面に関して上に記載された詳細な説明は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。詳細な説明は、説明される技法の理解を与えるために、具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【０１６１】
情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１６２】
本明細書の開示に関連して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、または本明細書で説明された機能を実施するように設計されたそれらの任意の組合せによって、実装または実施され得る。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１６３】
本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣ、またはＡＢまたはＡＣまたはＢＣまたはＡＢＣ（すなわち、ＡおよびＢおよびＣ）を意味するような選言的列挙を示す。
【０１６４】
コンピュータ可読媒体は、ある場所から別の場所へのコンピュータプログラムの転送を支援する任意の媒体を含む、コンピュータ記憶媒体とコンピュータ通信媒体の両方を含む。記憶媒体は、汎用または特殊目的コンピュータによってアクセスできる任意の利用可能な媒体とすることができる。限定ではなく例として、コンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気ストレージデバイス、あるいは命令またはデータ構造の形態の所望のプログラムコード手段を搬送または記憶するために使用でき、汎用または専用コンピュータあるいは汎用または専用プロセッサによってアクセスできる、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０１６５】
本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用できる。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示する原理および新規の特徴に合致する最も広い範囲を与えられるべきである。
【図１】
2014535248.tif 000005
【図２Ａ】
2014535248.tif 000006
【図２Ｂ】
2014535248.tif 000007
【図２Ｃ】
2014535248.tif 000008
【図２Ｄ】
2014535248.tif 000009
【図２Ｅ】
2014535248.tif 000010
【図２Ｆ】
2014535248.tif 000011
【図２Ｇ】
2014535248.tif 000012
【図３】
2014535248.tif 000013
【図４Ａ】
2014535248.tif 000014
【図４Ｂ】
2014535248.tif 000015
【図４Ｃ】
2014535248.tif 000016
【図５】
2014535248.tif 000017
【図６Ａ】
2014535248.tif 000018
【図６Ｂ】
2014535248.tif 000019
【図７Ａ】
2014535248.tif 000020
【図７Ｂ】
2014535248.tif 000021
【図８】
2014535248.tif 000022
【図９Ａ】
2014535248.tif 000023
【図９Ｂ】
2014535248.tif 000024
【図１０】
2014535248.tif 000025
【図１１Ａ】
2014535248.tif 000026
【図１１Ｂ】
2014535248.tif 000027
【図１２Ａ】
2014535248.tif 000028
【図１２Ｂ】
2014535248.tif 000029
【図１２Ｃ】
2014535248.tif 000030
【図１２Ｄ】
2014535248.tif 000031
【図１３】
2014535248.tif 000032
【図１４】
2014535248.tif 000033
【図１５】
2014535248.tif 000034
【図１６Ａ】
2014535248.tif 000035
【図１６Ｂ】
2014535248.tif 000036
【図１６Ｃ】
2014535248.tif 000037
【図１６Ｄ】
2014535248.tif 000038
【図１６Ｅ】
2014535248.tif 000039
【国際調査報告】
2014535248.tif 000040
2014535248.tif 000041
2014535248.tif 000042